(57)【要約】本発明は、無線通信システムを介して送信される無線信号に参照信号を挿入することに関する。無線信号は、特定のＳＳ−ＳＴＢＣ方式に従って放出される。方法は、参照信号のサンプルがＳＳ−ＳＴＢＣシンボル内の特定の位置にあるようにこれらの参照信号を挿入し、無線信号で送信することを含む。
2021506162.tif 000002
【特許請求の範囲】
【請求項１】
第１の参照信号、第２の参照信号、第３の参照信号及び第４の参照信号のＫ個のクワドラプレットを、無線通信システムを介して送信される無線信号に挿入する方法であって、無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、前記無線信号は、
【数１】
2021506162.tif 000448
であり、Ｐ１及びＰ２は、Ｐ１＋Ｐ２がＭ／２よりも厳密に小さくなるような既定の正の整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
前記Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、前記Ｍ個のシンボルからなる第１のシンボルブロックを表す第１の単一キャリア周波数分割多元接続（ＳＣ−ＦＤＭＡ）シンボルを取得することと、
前記Ｍ個のシンボルからなる第２のシンボルブロックに、少なくとも、第２の送信アンテナに対応するＭサイズＤＦＴを適用し、次に、ＮサイズＩＤＦＴを適用して、前記所与の持続時間を有する、前記Ｍ個のシンボルからなる第２のシンボルブロックを表す第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ及び前記第２の送信アンテナ上で前記無線信号にして同時に送信することと、
によって提供され、
前記方法は、
【数２】
2021506162.tif 000449
であるような整数のｍｉｎ（Ｍ／２−Ｐ１−Ｐ２；Ｋ）以下の数Ｌを求めることと、
前記Ｋ個のクワドラプレットの中の第１の参照信号、第２の参照信号、第３の参照信号及び第４の参照信号のＬ個のクワドラプレットの中からの第ｉのクワドラプレットごとに、
前記第１の参照信号のサンプルが、前記Ｍ個のシンボルからなる第１のシンボルブロック内の前記シンボル
【数３】
2021506162.tif 000450
の位置ｎｉに依存した前記第１のＳＣ−ＦＤＭＡシンボル内の位置にあるような前記第１の参照信号を挿入することと、
前記第２の参照信号のサンプルが、前記Ｍ個のシンボルからなる第１のシンボルブロック内の前記シンボル
【数４】
2021506162.tif 000451
の位置Ｍ／２＋Ｐ１＋ｍｏｄ（−ｎｉ＋Ｐ１＋ｐ−１，Ｑ）に依存した前記第１のＳＣ−ＦＤＭＡシンボル内の位置にあるような前記第２の参照信号を挿入することと、
前記第３の参照信号のサンプルが、前記Ｍ個のシンボルからなる第１のシンボルブロック内の前記シンボル
【数５】
2021506162.tif 000452
の位置ｎｉに依存した前記第２のＳＣ−ＦＤＭＡシンボル内の位置にあるような前記第３の参照信号を挿入することと、
前記第４の参照信号のサンプルが、前記Ｍ個のシンボルからなる第１のシンボルブロック内の前記シンボル
【数６】
2021506162.tif 000453
の位置Ｍ／２＋Ｐ１＋ｍｏｄ（−ｎｉ＋Ｐ１＋ｐ−１，Ｑ）に依存した前記第２のＳＣ−ＦＤＭＡシンボル内の位置にあるような前記第４の参照信号を挿入することと、
を含む、方法。
【請求項２】
クワドラプレットｉごとに、前記第１の参照信号、前記第２の参照信号、前記第３の参照信号及び前記第４の参照信号を挿入することは、前記プリコーダ及び前記第１の送信アンテナに対応する前記ＭサイズＤＦＴを前記Ｍ個のシンボルからなる第１のシンボルブロックに適用する前に、シンボル
【数７】
2021506162.tif 000454
及びシンボル
【数８】
2021506162.tif 000455
の値を、それぞれクワドラプレットｉの前記第１の参照信号及び前記第２の参照信号を表す値に設定することによって行われる、請求項１に記載の方法。
【請求項３】
クワドラプレットｉごとに、前記方法は、
前記プリコーダを前記Ｍ個のシンボルからなる第１のシンボルブロックに適用する前に、
【数９】
2021506162.tif 000456
である前記シンボル
【数１０】
2021506162.tif 000457
及び前記シンボル
【数１１】
2021506162.tif 000458
の値を０に設定すること、
を更に含み、
前記第１の参照信号、前記第２の参照信号、前記第３の参照信号及び前記第４の参照信号を挿入することは、
前記プリコーダを前記Ｍ個のシンボルからなる第１のシンボルブロックに適用した後であって、前記第１の送信アンテナに対応する前記ＭサイズＤＦＴを前記Ｍ個のシンボルからなる第１のシンボルブロックに適用する前に、シンボル
【数１２】
2021506162.tif 000459
及びシンボル
【数１３】
2021506162.tif 000460
の値を、それぞれクワドラプレットｉの前記第１の参照信号及び前記第２の参照信号を表す値に設定することと、
前記第２の送信アンテナに対応する前記ＭサイズＤＦＴを前記第２のシンボルブロックに適用する前に、シンボル
【数１４】
2021506162.tif 000461
及びシンボル
【数１５】
2021506162.tif 000462
の値を、それぞれクワドラプレットｉの第４の参照信号及び第３の参照信号を表す値に設定することと、
によって行われる、請求項１に記載の方法。
【請求項４】
クワドラプレットｉごとに、前記方法は、
前記プリコーダ及び前記ＭサイズＤＦＴを前記Ｍ個のシンボルからなる第１のシンボルブロックに適用する前に、
【数１６】
2021506162.tif 000463
である前記シンボル
【数１７】
2021506162.tif 000464
及び前記シンボル
【数１８】
2021506162.tif 000465
の値を０に設定すること、
を更に含み、
前記第１の参照信号、前記第２の参照信号、前記第３の参照信号及び前記第４の参照信号を挿入することは、
前記第１の参照信号のサンプル及び前記第２の参照信号のサンプルを前記第１の送信アンテナに対応する前記ＮサイズＩＤＦＴの出力信号に加えて、前記第１のＳＣ−ＦＤＭＡシンボルを取得することと、
前記第３の参照信号のサンプル及び前記第４の参照信号のサンプルを前記第２の送信アンテナに対応する前記ＮサイズＩＤＦＴの出力信号に加えて、前記第２のＳＣ−ＦＤＭＡシンボルを取得することと、
によって行われる、請求項１に記載の方法。
【請求項５】
前記方法は、クワドラプレットｉの前記第１の参照信号、前記第２の参照信号、前記第３の参照信号及び前記第４の参照信号を挿入する前に、少なくとも１つの
【数１９】
2021506162.tif 000466
について、
前記Ｍ個のシンボルからなる第１のシンボルブロック内の前記シンボル
【数２０】
2021506162.tif 000467
の位置ｎｉ及び／又は前記シンボル
【数２１】
2021506162.tif 000468
の位置Ｍ／２＋Ｐ１＋ｍｏｄ（−ｎｉ＋Ｐ１＋ｐ−１，Ｑ）に依存する少なくとも前記第１のＳＣ−ＦＤＭＡシンボル内の位置のうちの１つに対応する期間の間に、前記第１の送信アンテナに対応する前記ＮサイズＩＤＦＴの前記出力信号を０に設定すること、及び／又は、
前記Ｍ個のシンボルからなる第１のシンボルブロック内の前記シンボル
【数２２】
2021506162.tif 000469
の位置ｎｉ及び／又は前記シンボル
【数２３】
2021506162.tif 000470
の位置Ｍ／２＋Ｐ１＋ｍｏｄ（−ｎｉ＋Ｐ１＋ｐ−１，Ｑ）に依存する少なくとも前記第２のＳＣ−ＦＤＭＡシンボル内の位置のうちの１つに対応する期間の間に、前記第２の送信アンテナに対応する前記ＮサイズＩＤＦＴの前記出力信号を０に設定すること、
を更に含む、請求項４に記載の方法。
【請求項６】
前記方法は、
【数２４】
2021506162.tif 000471
である正の整数ｋｌ及びｋ’の対の数Ｈであって、１よりも厳密に大きく、
【数２５】
2021506162.tif 000472
となるようなＨと、
１よりも厳密に大きい正の整数ｄと、
【数２６】
2021506162.tif 000473
であり、
【数２７】
2021506162.tif 000474
となるようなＬ個の前記整数ｎｉと、
を求めることを更に含む、請求項１〜５のいずれか１項に記載の方法。
【請求項７】
前記方法は、
１よりも厳密に大きい正の整数ｄと、
【数２８】
2021506162.tif 000475
であり、
【数２９】
2021506162.tif 000476
となるようなＬ個の前記整数ｎｉと、
を求めることを更に含む、請求項１〜５のいずれか１項に記載の方法。
【請求項８】
ｎＬ−ｎ１＝Ｌ−１である、請求項１〜５のいずれか１項に記載の方法。
【請求項９】
その値が
【数３０】
2021506162.tif 000477
に設定される前記シンボル
【数３１】
2021506162.tif 000478
から取得される前記第１のＳＣ−ＦＤＭＡシンボル内の前記サンプルが、前記第１のＳＣ−ＦＤＭＡシンボル内のクワドラプレットｉの前記第１の参照信号の前記サンプルに等しいような値
【数３２】
2021506162.tif 000479
が、ＣＡＺＡＣ系列の構成要素であり、及び／又は、
その値が
【数３３】
2021506162.tif 000480
に設定される前記シンボル
【数３４】
2021506162.tif 000481
から取得される前記第１のＳＣ−ＦＤＭＡシンボル内の前記サンプルが、前記第１のＳＣ−ＦＤＭＡシンボル内のクワドラプレットｉの前記第２の参照信号の前記サンプルに等しいような値
【数３５】
2021506162.tif 000482
が、ＣＡＺＡＣ系列の構成要素であり、及び／又は、
その値が
【数３６】
2021506162.tif 000483
に設定される前記シンボル
【数３７】
2021506162.tif 000484
から取得される前記第２のＳＣ−ＦＤＭＡシンボル内の前記サンプルが、前記第２のＳＣ−ＦＤＭＡシンボル内のクワドラプレットｉの前記第３の参照信号の前記サンプルに等しいような値
【数３８】
2021506162.tif 000485
が、ＣＡＺＡＣ系列の構成要素であり、及び／又は、
その値が
【数３９】
2021506162.tif 000486
に設定される前記シンボル
【数４０】
2021506162.tif 000487
から取得される前記第２のＳＣ−ＦＤＭＡシンボル内の前記サンプルが、前記第２のＳＣ−ＦＤＭＡシンボル内のクワドラプレットｉの前記第４の参照信号の前記サンプルに等しいような値
【数４１】
2021506162.tif 000488
が、ＣＡＺＡＣ系列の構成要素である、請求項１〜８のいずれか１項に記載の方法。
【請求項１０】
その値が
【数４２】
2021506162.tif 000489
に設定される前記シンボル
【数４３】
2021506162.tif 000490
から取得される前記第１のＳＣ−ＦＤＭＡシンボル内の前記サンプルが、前記第１のＳＣ−ＦＤＭＡシンボル内のクワドラプレットｉの前記第１の参照信号の前記サンプルに等しいような値
【数４４】
2021506162.tif 000491
は、その値が
【数４５】
2021506162.tif 000492
に設定される前記シンボル
【数４６】
2021506162.tif 000493
から取得される前記第１のＳＣ−ＦＤＭＡシンボル内の前記サンプルが、前記第１のＳＣ−ＦＤＭＡシンボル内のクワドラプレットｉの前記第２の参照信号の前記サンプルに等しいような値
【数４７】
2021506162.tif 000494
に等しく、及び／又は、
その値が
【数４８】
2021506162.tif 000495
に設定される前記シンボル
【数４９】
2021506162.tif 000496
から取得される前記第２のＳＣ−ＦＤＭＡシンボル内の前記サンプルが、前記第２のＳＣ−ＦＤＭＡシンボル内のクワドラプレットｉの前記第３の参照信号の前記サンプルに等しいような値
【数５０】
2021506162.tif 000497
は、その値が
【数５１】
2021506162.tif 000498
に設定される前記シンボル
【数５２】
2021506162.tif 000499
から取得される前記第２のＳＣ−ＦＤＭＡシンボル内の前記サンプルが、前記第２のＳＣ−ＦＤＭＡシンボル内のクワドラプレットｉの前記第４の参照信号の前記サンプルに等しいような値
【数５３】
2021506162.tif 000500
に等しい、請求項１〜９のいずれか１項に記載の方法。
【請求項１１】
その値が
【数５４】
2021506162.tif 000501
に設定される前記シンボル
【数５５】
2021506162.tif 000502
から取得される前記第１のＳＣ−ＦＤＭＡシンボル内の前記サンプルが、前記第１のＳＣ−ＦＤＭＡシンボル内のクワドラプレットｉの前記第１の参照信号の前記サンプルに等しいような値
【数５６】
2021506162.tif 000503
は、その値が
【数５７】
2021506162.tif 000504
に設定される前記シンボル
【数５８】
2021506162.tif 000505
から取得される前記第２のＳＣ−ＦＤＭＡシンボル内の前記サンプルが、前記第２のＳＣ−ＦＤＭＡシンボル内のクワドラプレットｉの前記第４の参照信号の前記サンプルに等しいような値
【数５９】
2021506162.tif 000506
に等しく、及び／又は、
その値が
【数６０】
2021506162.tif 000507
に設定される前記シンボル
【数６１】
2021506162.tif 000508
から取得される前記第１のＳＣ−ＦＤＭＡシンボル内の前記サンプルが、前記第１のＳＣ−ＦＤＭＡシンボル内のクワドラプレットｉの前記第２の参照信号の前記サンプルに等しいような値
【数６２】
2021506162.tif 000509
は、その値が
【数６３】
2021506162.tif 000510
に設定される前記シンボル
【数６４】
2021506162.tif 000511
から取得される前記第２のＳＣ−ＦＤＭＡシンボル内の前記サンプルが、前記第２のＳＣ−ＦＤＭＡシンボル内のクワドラプレットｉの前記第３の参照信号の前記サンプルに等しいような値
【数６５】
2021506162.tif 000512
に等しい、請求項１〜１０のいずれか１項に記載の方法。
【請求項１２】
【数６６】
2021506162.tif 000513
である値
【数６７】
2021506162.tif 000514
、
【数６８】
2021506162.tif 000515
、
【数６９】
2021506162.tif 000516
及び
【数７０】
2021506162.tif 000517
のモジュールの中の最大モジュールは、前記第１のシンボルブロックを取得するのに用いられるデジタル変調方式の変調シンボルのモジュールの中の最大モジュール以下であり、
【数７１】
2021506162.tif 000518
は、その値が
【数７２】
2021506162.tif 000519
に設定される前記シンボル
【数７３】
2021506162.tif 000520
から取得される前記第１のＳＣ−ＦＤＭＡシンボル内の前記サンプルが、前記第１のＳＣ−ＦＤＭＡシンボル内のクワドラプレットｉの前記第１の参照信号の前記サンプルに等しいような値であり、
【数７４】
2021506162.tif 000521
は、その値が
【数７５】
2021506162.tif 000522
に設定される前記シンボル
【数７６】
2021506162.tif 000523
から取得される前記第１のＳＣ−ＦＤＭＡシンボル内の前記サンプルが、前記第１のＳＣ−ＦＤＭＡシンボル内のクワドラプレットｉの前記第２の参照信号の前記サンプルに等しいような値であり、
【数７７】
2021506162.tif 000524
は、その値が
【数７８】
2021506162.tif 000525
に設定される前記シンボル
【数７９】
2021506162.tif 000526
から取得される前記第２のＳＣ−ＦＤＭＡシンボル内の前記サンプルが、前記第２のＳＣ−ＦＤＭＡシンボル内のクワドラプレットｉの前記第３の参照信号の前記サンプルに等しいような値であり、
【数８０】
2021506162.tif 000527
は、その値が
【数８１】
2021506162.tif 000528
に設定される前記シンボル
【数８２】
2021506162.tif 000529
から取得される前記第２のＳＣ−ＦＤＭＡシンボル内の前記サンプルが、前記第２のＳＣ−ＦＤＭＡシンボル内のクワドラプレットｉの前記第４の参照信号の前記サンプルに等しいような値である、請求項１〜１１のいずれか１項に記載の方法。
【請求項１３】
前記第１のＳＣ−ＦＤＭＡシンボル内の前記サンプルが、その値がρｎに設定される前記シンボルＸｎから取得されるような値ρｎは、
【数８３】
2021506162.tif 000530
である場合には、前記第１のＳＣ−ＦＤＭＡシンボル内の前記サンプルが、その値がρｎ＋Ｑに設定される前記シンボルＸｎ＋Ｑから取得されるような値ρｎ＋Ｑに等しく、
【数８４】
2021506162.tif 000531
である場合には、前記第１のＳＣ−ＦＤＭＡシンボル内の前記サンプルが、その値がρｎ−Ｑに設定される前記シンボルＸｎ−Ｑから取得されるような値ρｎ−Ｑに等しく、及び／又は、
前記第２のＳＣ−ＦＤＭＡシンボル内の前記サンプルが、その値がρ’ｎに設定される前記シンボルＹｎから取得されるような値ρ’ｎは、
【数８５】
2021506162.tif 000532
である場合には、前記第２のＳＣ−ＦＤＭＡシンボル内の前記サンプルが、その値がρ’ｎ＋Ｑに設定される前記シンボルＸｎ＋Ｑから取得されるような値ρ’ｎ＋Ｑに等しく、
【数８６】
2021506162.tif 000533
である場合には、前記第２のＳＣ−ＦＤＭＡシンボル内の前記サンプルが、その値がρ’ｎ−Ｑに設定される前記シンボルＸｎ−Ｑから取得されるような値ρ’ｎ−Ｑに等しい、請求項１〜１２のいずれか１項に記載の方法。
【請求項１４】
少なくともプロセッサによって実行されると、請求項１〜１３のいずれか１項に記載の方法を実行するコード命令を含む、コンピュータプログラム製品。
【請求項１５】
第１の参照信号、第２の参照信号、第３の参照信号及び第４の参照信号のＫ個のクワドラプレットを、無線通信システムを介して送信される無線信号に挿入するデバイスであって、前記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、前記無線信号は、
【数８７】
2021506162.tif 000534
であり、Ｐ１及びＰ２は、Ｐ１＋Ｐ２がＭ／２よりも厳密に小さくなるような既定の正の整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
前記Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、前記Ｍ個のシンボルからなる第１のシンボルブロックを表す第１の単一キャリア周波数分割多元接続（ＳＣ−ＦＤＭＡ）シンボルを取得することと、
前記Ｍ個のシンボルからなる第２のシンボルブロックに、少なくとも、第２の送信アンテナに対応するＭサイズＤＦＴを適用し、次に、ＮサイズＩＤＦＴを適用して、前記所与の持続時間を有する、前記Ｍ個のシンボルからなる第２のシンボルブロックを表す第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ及び前記第２の送信アンテナ上で前記無線信号にして同時に送信することと、
によって処理され、
前記デバイスは、
プロセッサと、
命令が記憶された非一時的コンピュータ可読媒体と、
を備え、
前記命令は、前記プロセッサによって実行されると、
【数８８】
2021506162.tif 000535
であるような整数のｍｉｎ（Ｍ／２−Ｐ１−Ｐ２；Ｋ）以下の数Ｌを求めることと、
前記Ｋ個のクワドラプレットの中の第１の参照信号、第２の参照信号、第３の参照信号及び第４の参照信号のＬ個のクワドラプレットの中からの第ｉのクワドラプレットごとに、
前記第１の参照信号のサンプルが、前記Ｍ個のシンボルからなる第１のシンボルブロック内の前記シンボル
【数８９】
2021506162.tif 000536
の位置ｎｉに依存した前記第１のＳＣ−ＦＤＭＡシンボル内の位置にあるような前記第１の参照信号を挿入することと、
前記第２の参照信号のサンプルが、前記Ｍ個のシンボルからなる第１のシンボルブロック内の前記シンボル
【数９０】
2021506162.tif 000537
の位置Ｍ／２＋Ｐ１＋ｍｏｄ（−ｎｉ＋Ｐ１＋ｐ−１，Ｑ）に依存した前記第１のＳＣ−ＦＤＭＡシンボル内の位置にあるような前記第２の参照信号を挿入することと、
前記第３の参照信号のサンプルが、前記Ｍ個のシンボルからなる第１のシンボルブロック内の前記シンボル
【数９１】
2021506162.tif 000538
の位置ｎｉに依存した前記第２のＳＣ−ＦＤＭＡシンボル内の位置にあるような前記第３の参照信号を挿入することと、
前記第４の参照信号のサンプルが、前記Ｍ個のシンボルからなる第１のシンボルブロック内の前記シンボル
【数９２】
2021506162.tif 000539
の位置Ｍ／２＋Ｐ１＋ｍｏｄ（−ｎｉ＋Ｐ１＋ｐ−１，Ｑ）に依存した前記第２のＳＣ−ＦＤＭＡシンボル内の位置にあるような前記第４の参照信号を挿入することと、
を行うように前記デバイスを構成する、デバイス。
【請求項１６】
無線通信システムを介して受信される無線信号内の第１の参照信号、第２の参照信号、第３の参照信号及び第４の参照信号のＫ個のクワドラプレットを抽出する方法であって、前記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、前記無線信号の前記放出は、
【数９３】
2021506162.tif 000540
であり、Ｐ１及びＰ２は、Ｐ１＋Ｐ２がＭ／２よりも厳密に小さくなるような既定の正の整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
前記Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、前記Ｍ個のシンボルからなる第１のシンボルブロックを表す第１の単一キャリア周波数分割多元接続（ＳＣ−ＦＤＭＡ）シンボルを取得することと、
前記Ｍ個のシンボルからなる第２のシンボルブロックに、少なくとも、第２の送信アンテナに対応するＭサイズＤＦＴを適用し、次に、ＮサイズＩＤＦＴを適用して、前記所与の持続時間を有する、前記Ｍ個のシンボルからなる第２のシンボルブロックを表す第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ及び前記第２の送信アンテナ上で前記無線信号にして同時に送信することと、
によって処理され、
前記第１の参照信号、前記第２の参照信号、前記第３の参照信号及び前記第４の参照信号は、
【数９４】
2021506162.tif 000541
であるような整数のｍｉｎ（Ｍ／２−Ｐ１−Ｐ２；Ｋ）以下の数Ｌを求めることと、
前記Ｋ個のクワドラプレットの中の第１の参照信号、第２の参照信号、第３の参照信号及び第４の参照信号のＬ個のクワドラプレットの中からの第ｉのクワドラプレットごとに、
前記第１の参照信号のサンプルが、前記Ｍ個のシンボルからなる第１のシンボルブロック内の前記シンボル
【数９５】
2021506162.tif 000542
の位置ｎｉに依存した前記第１のＳＣ−ＦＤＭＡシンボル内の位置にあるような前記第１の参照信号を挿入することと、
前記第２の参照信号のサンプルが、前記Ｍ個のシンボルからなる第１のシンボルブロック内の前記シンボル
【数９６】
2021506162.tif 000543
の位置Ｍ／２＋Ｐ１＋ｍｏｄ（−ｎｉ＋Ｐ１＋ｐ−１，Ｑ）に依存した前記第１のＳＣ−ＦＤＭＡシンボル内の位置にあるような前記第２の参照信号を挿入することと、
前記第３の参照信号のサンプルが、前記Ｍ個のシンボルからなる第１のシンボルブロック内の前記シンボル
【数９７】
2021506162.tif 000544
の位置ｎｉに依存した前記第２のＳＣ−ＦＤＭＡシンボル内の位置にあるような前記第３の参照信号を挿入することと、
前記第４の参照信号のサンプルが、前記Ｍ個のシンボルからなる第１のシンボルブロック内の前記シンボル
【数９８】
2021506162.tif 000545
の位置Ｍ／２＋Ｐ１＋ｍｏｄ（−ｎｉ＋Ｐ１＋ｐ−１，Ｑ）に依存した前記第２のＳＣ−ＦＤＭＡシンボル内の位置にあるような前記第４の参照信号を挿入することと、
によって前記無線信号に挿入され、
前記方法は、前記Ｌ個のクワドラプレットの中の第１の参照信号、第２の参照信号、第３の参照信号及び第４の参照信号の少なくとも１つのクワドラプレットｉについて、
前記受信された無線信号に対してＮサイズＤＦＴを適用する前に、前記無線信号の部分であって、各部分は、前記所与の時間間隔に厳密に含まれる時間窓の中の１つの時間窓において受信される、部分を抽出することと、
前記抽出された部分を前記受信された無線信号の他の部分から独立して処理することと、
を含む、方法。
【請求項１７】
前記時間窓の中の各時間窓は、前記第１のＳＣ−ＦＤＭＡシンボル及び／又は前記第２のＳＣ−ＦＤＭＡシンボル内の位置の中の１つの位置にあるサンプルの前記受信に対応する少なくとも１つの期間を厳密に含む、請求項１６に記載の方法。
【請求項１８】
前記時間窓の中の各時間窓は、前記第１のＳＣ−ＦＤＭＡシンボル及び／又は前記第２のＳＣ−ＦＤＭＡシンボル内の位置の中の１つの位置にあるサンプルの前記受信に対応する少なくとも１つの期間に厳密に含まれる、請求項１６に記載の方法。
【請求項１９】
前記時間窓の中の各時間窓は、前記第１のＳＣ−ＦＤＭＡシンボル及び／又は前記第２のＳＣ−ＦＤＭＡシンボル内の位置の中の１つの位置にあるサンプルの前記受信に対応する１つの期間に等しい、請求項１６に記載の方法。
【請求項２０】
無線通信システムを介して受信される無線信号内の第１の参照信号、第２の参照信号、第３の参照信号及び第４の参照信号のＫ個のクワドラプレットを抽出するデバイスであって、前記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、前記無線信号の前記放出は、
【数９９】
2021506162.tif 000546
であり、Ｐ１及びＰ２は、Ｐ１＋Ｐ２がＭ／２よりも厳密に小さくなるような既定の正の整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
前記Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、前記Ｍ個のシンボルからなる第１のシンボルブロックを表す第１の単一キャリア周波数分割多元接続（ＳＣ−ＦＤＭＡ）シンボルを取得することと、
前記Ｍ個のシンボルからなる第２のシンボルブロックに、少なくとも、第２の送信アンテナに対応するＭサイズＤＦＴを適用し、次に、ＮサイズＩＤＦＴを適用して、前記所与の持続時間を有する、前記Ｍ個のシンボルからなる第２のシンボルブロックを表す第２の単一キャリア周波数分割多元接続（ＳＣ−ＦＤＭＡ）シンボルを取得することと、
前記所与の持続時間の時間間隔の間に、前記第１のＳＣ−ＦＤＭＡシンボル及び前記第２のＳＣ−ＦＤＭＡシンボルをそれぞれ前記第１の送信アンテナ及び前記第２の送信アンテナ上で前記無線信号にして同時に送信することと、
によって処理され、
前記第１の参照信号、前記第２の参照信号、前記第３の参照信号及び前記第４の参照信号は、
【数１００】
2021506162.tif 000547
であるような整数のｍｉｎ（Ｍ／２−Ｐ１−Ｐ２；Ｋ）以下の数Ｌを求めることと、
前記Ｋ個のクワドラプレットの中の第１の参照信号、第２の参照信号、第３の参照信号及び第４の参照信号のＬ個のクワドラプレットの中からの第ｉのクワドラプレットごとに、
前記第１の参照信号のサンプルが、前記Ｍ個のシンボルからなる第１のシンボルブロック内の前記シンボル
【数１０１】
2021506162.tif 000548
の位置ｎｉに依存した前記第１のＳＣ−ＦＤＭＡシンボル内の位置にあるような前記第１の参照信号を挿入することと、
前記第２の参照信号のサンプルが、前記Ｍ個のシンボルからなる第１のシンボルブロック内の前記シンボル
【数１０２】
2021506162.tif 000549
の位置Ｍ／２＋Ｐ１＋ｍｏｄ（−ｎｉ＋Ｐ１＋ｐ−１，Ｑ）に依存した前記第１のＳＣ−ＦＤＭＡシンボル内の位置にあるような前記第２の参照信号を挿入することと、
前記第３の参照信号のサンプルが、前記Ｍ個のシンボルからなる第１のシンボルブロック内の前記シンボル
【数１０３】
2021506162.tif 000550
の位置ｎｉに依存した前記第２のＳＣ−ＦＤＭＡシンボル内の位置にあるような前記第３の参照信号を挿入することと、
前記第４の参照信号のサンプルが、前記Ｍ個のシンボルからなる第１のシンボルブロック内の前記シンボル
【数１０４】
2021506162.tif 000551
の位置Ｍ／２＋Ｐ１＋ｍｏｄ（−ｎｉ＋Ｐ１＋ｐ−１，Ｑ）に依存した前記第２のＳＣ−ＦＤＭＡシンボル内の位置にあるような前記第４の参照信号を挿入することと、
によって前記無線信号に挿入され、
前記デバイスは、
プロセッサと、
命令が記憶された非一時的コンピュータ可読媒体と、
を備え、
前記命令は、前記プロセッサによって実行されると、第１の参照信号、第２の参照信号、第３の参照信号及び第４の参照信号の少なくとも１つのクワドラプレットｉについて、
前記受信された無線信号に対してＮサイズＤＦＴモジュールを適用する前に、前記無線信号の部分であって、各部分は、前記所与の時間間隔に厳密に含まれる時間窓の中の１つの時間窓において受信される、部分を抽出することと、
前記抽出された部分を前記受信された無線信号の他の部分から独立して処理することと、
を行うように前記デバイスを構成する、デバイス。
【発明の詳細な説明】
【技術分野】
【０００１】
本発明は、包括的には、電気通信システムの分野に関し、より具体的には、ＯＦＤＭ型伝送方式と組み合わせて特に使用される、ＭＩＭＯ（多入力多出力）又はＭＩＳＯ（多入力単出力）通信の状況における参照信号の挿入に関する。
【背景技術】
【０００２】
本発明は、単一シンボルＳＴＢＣ（ＳＳ−ＳＴＢＣ：single-symbol STBC）又はＳＳ−ＳＴＢＣの変形形態を用いるＭＩＭＯ電気通信システム又はＭＩＳＯ電気通信システムにおいて適用される。ＳＳ−ＳＴＢＣは、１シンボルＳＴＢＣ、分割シンボルＳＴＢＣ又は仮想分割ＳＴＢＣとも呼ばれる。これらのＳＳ−ＳＴＢＣ型方式は、ＭＩＳＯ送信又はＭＩＭＯ送信に関して低いＰＡＰＲ（ピーク対平均電力比：peak-to-average power ratio）、フルダイバーシティを提供するとともに、ＯＦＤＭ型方式の単一キャリア特性を維持するように開発されてきた。
【０００３】
ＳＳ−ＳＴＢＣは、ＳＳ−ＳＴＢＣプリコーダをシンボルブロックＸ＝（Ｘ０，．．．ＸＭ−１）に適用して、シンボルブロックＹ＝（Ｙ０，．．．ＹＭ−１）を取得することにその本質がある。その後、ＭサイズＤＦＴ（離散フーリエ変換：discrete Fourier transform）が、各シンボルブロックＸ及びＹに適用される。各シンボルブロックについて、Ｍ個の複素シンボルが周波数領域において取得される。これらの複素シンボルは、それぞれ
【数１】
2021506162.tif 000003
及び
【数２】
2021506162.tif 000004
である。これらの複素シンボルは、周波数領域においてＮサイズＩＤＦＴ（逆離散フーリエ変換：inverse discrete Fourier transform）のＮ個の入力の中からのＭ個にマッピングされ、したがって、ＩＤＦＴの出力において、信号
【数３】
2021506162.tif 000005
及び信号
【数４】
2021506162.tif 000006
が取得される。各信号は、単一キャリア周波数分割多元接続（ＳＣ−ＦＤＭＡ：single-carrier frequency division multiple access）のシンボルに対応する時間間隔の間、Ｎ個の存在するサブキャリアの中からのＭ個の割り当てられたサブキャリアを占有する。信号
【数５】
2021506162.tif 000007
及び
【数６】
2021506162.tif 000008
は、所与の時間間隔の間の周波数領域表現がそれぞれ、ｋ＝０〜Ｍ−１である第ｋの占有サブキャリアごとの複素シンボルＳｋＴｘ１及びＳｋＴｘ２である時間領域信号である。同様に、所与の時間間隔の間の時間領域信号
【数７】
2021506162.tif 000009
及び
【数８】
2021506162.tif 000010
はそれぞれ、ｋ＝０〜Ｍ−１である第ｋの周波数ごとの周波数領域複素シンボルＳｋＴｘ１及びＳｋＴｘ２を表す。これらの時間領域信号
【数９】
2021506162.tif 000011
及び
【数１０】
2021506162.tif 000012
はそれぞれ、ＳＣ−ＦＤＭＡシンボルに対応する。したがって、信号
【数１１】
2021506162.tif 000013
又は信号
【数１２】
2021506162.tif 000014
におけるサンプルはそれぞれ、第１の送信アンテナに対応するＳＣ−ＦＤＭＡシンボルにおけるサンプルと、第２の送信アンテナに対応するＳＣ−ＦＤＭＡシンボルにおけるサンプルとを指す。ＩＤＦＴの後、任意選択でサイクリックプレフィックス（ＣＰ：cyclic prefix）を付加することができる。
【０００４】
シンボルブロックＸ＝（Ｘ０，．．．ＸＭ−１）（第１のシンボルブロックとも呼ばれる）に適用されたプリコーダは、シンボルブロックＹ＝（Ｙ０，．．．ＹＭ−１）（第２のシンボルブロックとも呼ばれる）を出力する。第１のシンボルブロックＸ＝（Ｘ０，．．．ＸＭ−１）は、図２．２に示すように、Ｍ／２個のシンボルからなる２つの部分に分割される。第１の部分及び第２の部分はそれぞれ、Ｑ個の連続した変調シンボル
【数１３】
2021506162.tif 000015
及びＱ個の連続した変調シンボル
【数１４】
2021506162.tif 000016
を含む。これらの第１の部分及び第２の部分のＱ個の連続した変調シンボルは、データ及び／又は参照信号（reference signals：基準信号）を含む。
【０００５】
ブロックシンボルのこれらの２つの部分の間の干渉を制限するために、第１の部分は、Ｑ個の連続した変調シンボル
【数１５】
2021506162.tif 000017
の前及び後にそれぞれ位置決めされたＰ１個の連続したシンボルからなる任意選択のサイクリックプレフィックス、及び／又は、Ｐ２個の連続したシンボルからなる任意選択のサイクリックポストフィックスを含むことができる。第２の部分も、Ｑ個の連続した変調シンボル
【数１６】
2021506162.tif 000018
の前及び後にそれぞれ位置決めされたＰ１個の連続したシンボルからなる任意選択のサイクリックプレフィックス及びＰ２個の連続したシンボルからなる任意選択のサイクリックポストフィックスを含むことができる。第１の部分は、サイクリックプレフィックス内のＰ１個のシンボルと、サイクリックポストフィックス内のＰ２個のシンボルと、Ｑ個のデータ／ＲＳシンボルとを含む。したがって、Ｐ１＋Ｐ２＋Ｑ＝Ｍ／２である。ここで、Ｐ１及び／又はＰ２は、０に等しくすることができる。Ｍは偶数と考えられる。
【０００６】
したがって、第１のシンボルブロックＸ＝（Ｘ０，．．．ＸＭ−１）は、第１の部分のサイクリックプレフィックスについては、
【数１７】
2021506162.tif 000019
によって定義することができ、第１の部分のデータ／ＲＳシンボルについては、
【数１８】
2021506162.tif 000020
によって定義することができ、第１の部分のサイクリックポストフィックスについては、
【数１９】
2021506162.tif 000021
によって定義することができ、第２の部分のサイクリックプレフィックスについては、
【数２０】
2021506162.tif 000022
によって定義することができ、第２の部分のデータ／ＲＳシンボルについては、
【数２１】
2021506162.tif 000023
によって定義することができ、第２の部分のサイクリックポストフィックスについては、
【数２２】
2021506162.tif 000024
によって定義することができる。
【０００７】
ＳＳ−ＳＴＢＣプリコーダを第１のシンボルブロックＸ＝（Ｘ０，．．．ＸＭ−１）に適用すると、第２のシンボルブロックＹ＝（Ｙ０，．．．ＹＭ−１）が取得される。この第２のシンボルブロックは、事前に定義された第１のシンボルブロックに対して相対的に定義することができ、第１の部分のサイクリックプレフィックスについては、
【数２３】
2021506162.tif 000025
によって定義することができ、第１の部分のデータ／ＲＳシンボルについては、
【数２４】
2021506162.tif 000026
によって定義することができ、第１の部分のサイクリックポストフィックスについては、
【数２５】
2021506162.tif 000027
によって定義することができ、第２の部分のサイクリックプレフィックスについては、
【数２６】
2021506162.tif 000028
によって定義することができ、第２の部分のデータ／ＲＳシンボルについては、
【数２７】
2021506162.tif 000029
によって定義することができ、第２の部分のサイクリックポストフィックスについては、
【数２８】
2021506162.tif 000030
によって定義することができる。
【０００８】
ただし、
【数２９】
2021506162.tif 000031
であり、
【数３０】
2021506162.tif 000032
であり、Ｘ＊はＸの複素共役である。
【０００９】
上述した方式は、非特許文献１及び特許文献１に十分に記載されている
【００１０】
したがって、Ｙは、Ｘに基づいて以下の式によって定義することができる。
【数３１】
2021506162.tif 000033
【００１１】
ここで、εは１又は−１である。上述式は、これまではεの値が１に設定されている場合について記載されているが、εが−１に設定されているときも同じ技術的効果が得られることは明瞭である。
【００１２】
局所的なサブキャリアマッピングの場合、ＩＤＦＴ出力における時間領域の信号は、Ｍの倍数のサンプル位置
【数３２】
2021506162.tif 000034
において入力時間シンボルＸｎ（或る倍率を有する）の正確なコピーを有し、その間の値は、ＮがＭの倍数であるときに、異なる複素重み付けを有する入力ブロック内の全ての時間入力シンボルの和であることが知られている。信号
【数３３】
2021506162.tif 000035
は、シンボルブロックＸをオーバーサンプリングしたものである。例えば、Ｘｎが非零であるシンボルブロックＸ（ｎ）＝（０，．．．，０，Ｘｎ，０，．．．，０）が、ＳＣ−ＦＤＭＡ変調器の入力、すなわち、ＭサイズＤＦＴの入力に与えられる場合には、シンボルＸｎに対応する無線信号
【数３４】
2021506162.tif 000036
内のサンプルの中で、サンプル
【数３５】
2021506162.tif 000037
を中心とする一部のみが高エネルギーを有することになる。また、完全に分散したサブキャリアマッピングの場合、ＮがＭの倍数であるとき、信号
【数３６】
2021506162.tif 000038
は、シンボルブロックＸのＮ／Ｍ回の繰り返し、したがって、Ｘｎが非零であるシンボルブロックＸ（ｎ）＝（０，．．．，０，Ｘｎ，０，．．．，０）がＳＣ−ＦＤＭＡ変調器の入力に与えられる場合には、シンボルＸｎに対応する無線信号
【数３７】
2021506162.tif 000039
内のサンプルの中で、サンプル
【数３８】
2021506162.tif 000040
を中心とする一部のみが高エネルギーを有することになることも知られている。ただし、ｋは１〜Ｎ／Ｍに等しい。他のサブキャリアマッピングタイプ及び／又は非整数のＮ／Ｍ比の場合、ＤＦＴ前シンボルＸｎと、無線信号内の対応するサンプル（シンボルブロックＸ（ｎ）＝（０，．．．，０，Ｘｎ，０，．．．，０）がＳＣ−ＦＤＭＡ変調器の入力に与えられた場合には、その中の一部のみが高エネルギーを有する）との間に類似の関係を確立することができる。したがって、所与のサブキャリアマッピング及び所与の値Ｍ及びＮについて、位置ｎごとに、シンボルＸｎに対応する時間領域信号
【数３９】
2021506162.tif 000041
内の高エネルギーサンプルを識別することができ、時間領域信号内の高エネルギーサンプルの位置は位置ｎに依存する。そのような高エネルギーサンプルは、このように、無線信号において、シンボルＸｎの位置ｎに依存する期間内にある。現在の技術水準では、ＳＣ−ＦＤＭＡシンボルの正確なサブキャリア割り当てと、Ｎ／Ｍ比とに基づいて、それらの期間を識別することができる。シンボルブロック内のシンボルＸｎの位置ｎごとに、上記期間は、正確なサブキャリア割り当て及びＮ／Ｍ比にのみ依存し、シンボルＸｎに割り当てられる値には依存しない。同じことは、
【数４０】
2021506162.tif 000042
及びシンボルブロックＹにも言える。
【００１３】
信号
【数４１】
2021506162.tif 000043
内（すなわち、第１の送信アンテナに対応するＳＣ−ＦＤＭＡシンボル内）のシンボルＸｎに対応する高エネルギーサンプルは、非零の値がＸｎに割り当てられたシンボルブロックＸ（ｎ）＝（０，．．．，０，Ｘｎ，０，．．．，０）が、信号
【数４２】
2021506162.tif 000044
を出力するＳＣ−ＦＤＭＡ変調器の入力に与えられるときに好都合に選ばれた所与の閾値よりも、値
【数４３】
2021506162.tif 000045
が高いサンプル
【数４４】
2021506162.tif 000046
であることが分かる。
【００１４】
信号
【数４５】
2021506162.tif 000047
内（すなわち、第２の送信アンテナに対応するＳＣ−ＦＤＭＡシンボル内）のシンボルＹｎに対応する高エネルギーサンプルは、非零の値がＹｎに割り当てられたシンボルブロックＹ（ｎ）＝（０，．．．，０，Ｙｎ，０，．．．，０）が、信号
【数４６】
2021506162.tif 000048
を出力するＳＣ−ＦＤＭＡ変調器の入力に与えられるときに好都合に選ばれた所与の閾値よりも、値
【数４７】
2021506162.tif 000049
が高いサンプル
【数４８】
2021506162.tif 000050
であることが分かる。
【００１５】
信号
【数４９】
2021506162.tif 000051
内（すなわち、第２の送信アンテナに対応するＳＣ−ＦＤＭＡシンボル内）のシンボルＸｎに対応する高エネルギーサンプルは、非零の値がＸｎに割り当てられたシンボルブロックＸ（ｎ）＝（０，．．．，０，Ｘｎ，０，．．．，０）が、信号
【数５０】
2021506162.tif 000052
を出力するＳＳ−ＳＴＢＣシステムのＳＳ−ＳＴＢＣプリコーダの入力に与えられるときに好都合に選ばれた所与の閾値よりも、値
【数５１】
2021506162.tif 000053
が高いサンプル
【数５２】
2021506162.tif 000054
であることが分かる。
【００１６】
同様に、シンボルＸｎに対応する高エネルギーサンプルは、シンボルＸｎに関連する情報を取り出すために効率的に処理することができる、シンボルＸｎに対応するサンプル（複数の場合もある）である。したがって、高エネルギーサンプル又は少なくともシンボルＸｎに対応する高エネルギーサンプルは、シンボルＸｎに対応する他のサンプル（低エネルギーサンプル、又は残余情報を含むサンプルと呼ばれる）に比べて、シンボルＸｎの正しい推定に対して最も重要な寄与を有するサンプルである。
【００１７】
本発明の場合には、高エネルギーサンプルのみが対象となるので（残余情報を含むサンプルは干渉とみなされる）、それらのサンプルを単に高エネルギーサンプル又はサンプルと呼ぶ。
【００１８】
そのようなＳＳ−ＳＴＢＣシステムにおいて、受信機側（図３）では、ガード除去又はＣＰ除去を通過した後に、Ｎ個の占有サブキャリアの中からのＭ個をデマッピングする前に、受信シンボルはＮサイズＤＦＴモジュールを通過する。次に、変調シンボルを取り出す前に、周波数領域等化及びＳＳ−ＳＴＢＣ復号化器が周波数領域において（例えば、ＭＭＳＥ（最小平均二乗誤差：minimum mean square error）によって）実行される。
【００１９】
現在規格化段階のｎｅｗ  ｒａｄｉｏ規格又は５Ｇの事例であるミリ波システムでは、高いキャリア周波数レベルにおいて実行される動作は、位相雑音、キャリア周波数オフセット、ドップラー効果等の種々の原因によって強い／高速の位相変動を受ける。これによって、特に、参照信号（ＲＳ）が、ブロック内、すなわち、参照信号に専用のシンボルブロックであって、したがって、１つのＳＳ−ＳＴＢＣシンボル全体を占有するシンボルブロック内に設定されるときにチャネル状態を追跡するのが難しくなる。なぜならば、強い位相変動は、専用ＳＳ−ＳＴＢＣシンボルにおいて送信されるＲＳの２つの連続した送信間で生じる可能性があるからである。
【００２０】
他方、信号の何らかの破損（例えば、位相変動又は急速なチャネル変化）をより効率的に追跡するために、１つのＳＳ−ＳＴＢＣシンボル全体未満を占有するＲＳを挿入するには、ＤＦＴ入力において与えられるブロック内にデータ変調シンボルとともにＲＳを挿入し、ＳＳ−ＳＴＢＣ波形の低いＰＡＰＲを維持できるようにする必要がある。それにもかかわらず、参照信号が専用ブロック内に設定される場合とは対照的に、データ変調シンボルと多重化される参照信号をＤＦＴ入力時に挿入したとき、受信機側では、図３におけるＳＳ−ＳＴＢＣ復号化器３．７の後にしか参照信号を抽出することができない。したがって、抽出は、ＳＳ−ＳＴＢＣ受信方式の異なるモジュールが適用されると行われる。すなわち、これらのモジュールは、補償なしで破損シンボルに対して適用され得る。したがってそのような受信機、特にＳＳ−ＳＴＢＣ復号化器の性能は、シンボルが激しく破損しているときに激しく劣化する可能性がある。
【先行技術文献】
【特許文献】
【００２１】
【特許文献１】米国出願第６１／０９９，３７５号
【非特許文献】
【００２２】
【非特許文献１】X. Luo、P. Gaal、X. Zhang、及びJ. Montojo著「Transmit Diversity Scheme over Single SC-FDM Symbol for LTE-Advanced」Proceedings of IEEE GLOBECOM’09, Honolulu, Hawaii, 2009
【発明の概要】
【発明が解決しようとする課題】
【００２３】
本発明は、上記状況を改善することを目的とする。
【課題を解決するための手段】
【００２４】
このために、本発明は、第１の参照信号、第２の参照信号、第３の参照信号及び第４の参照信号のＫ個のクワドラプレット（quadruplet：４つ組、４重項）を、無線通信システムを介して送信される無線信号に挿入する方法であって、上記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、上記無線信号は、
【数５３】
2021506162.tif 000055
であり、Ｐ１及びＰ２は、Ｐ１＋Ｐ２がＭ／２よりも厳密に小さくなるような既定の正の整数又は０に等しい整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、Ｍ個のシンボルからなる第１のシンボルブロックを表す第１の単一キャリア周波数分割多元接続（ＳＣ−ＦＤＭＡ）シンボルを取得することと、
Ｍ個のシンボルからなる第２のシンボルブロックに、少なくとも、第２の送信アンテナに対応するＭサイズＤＦＴを適用し、次に、ＮサイズＩＤＦＴを適用して、所与の持続時間を有する、Ｍ個のシンボルからなる第２のシンボルブロックを表す第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
によって提供され、
上記方法は、
【数５４】
2021506162.tif 000056
であるような整数のｍｉｎ（Ｍ／２−Ｐ１−Ｐ２；Ｋ）以下の数Ｌを求めることと、
Ｋ個のクワドラプレットの中の第１の参照信号、第２の参照信号、第３の参照信号及び第４の参照信号のＬ個のクワドラプレットの中からの第ｉのクワドラプレットごとに、
第１の参照信号のサンプルが、Ｍ個のシンボルからなる第１のシンボルブロック内のシンボル
【数５５】
2021506162.tif 000057
の位置ｎｉに依存した第１のＳＣ−ＦＤＭＡシンボル内の位置にあるような第１の参照信号を挿入することと、
第２の参照信号のサンプルが、Ｍ個のシンボルからなる第１のシンボルブロック内のシンボル
【数５６】
2021506162.tif 000058
の位置Ｍ／２＋Ｐ１＋ｍｏｄ（−ｎｉ＋Ｐ１＋ｐ−１，Ｑ）に依存した第１のＳＣ−ＦＤＭＡシンボル内の位置にあるような第２の参照信号を挿入することと、
第３の参照信号のサンプルが、Ｍ個のシンボルからなる第１のシンボルブロック内のシンボル
【数５７】
2021506162.tif 000059
の位置ｎｉに依存した第２のＳＣ−ＦＤＭＡシンボル内の位置にあるような第３の参照信号を挿入することと、
第４の参照信号のサンプルが、Ｍ個のシンボルからなる第１のシンボルブロック内のシンボル
【数５８】
2021506162.tif 000060
の位置Ｍ／２＋Ｐ１＋ｍｏｄ（−ｎｉ＋Ｐ１＋ｐ−１，Ｑ）に依存した第２のＳＣ−ＦＤＭＡシンボル内の位置にあるような第４の参照信号を挿入することと、
を含む、方法に関する。
【００２５】
本発明によれば、第１の参照信号の高エネルギーサンプルは、第４の参照信号の高エネルギーサンプルと同じ期間内に一方の送信アンテナ（第１の送信アンテナ）から放出され、第４の参照信号の高エネルギーサンプルは、他方の送信アンテナ（第２の送信アンテナ）から放出される。加えて、第２の参照信号の高エネルギーサンプルは、第３の参照信号の高エネルギーサンプルと同じ期間内に第１の送信アンテナから放出され、第３の参照信号の高エネルギーサンプルは、第２の送信アンテナから放出される。
【００２６】
第１の送信アンテナの第１の参照信号及び第２の参照信号の対の高エネルギーサンプルを含む期間は、第２の送信アンテナの第３の参照信号及び第４の参照信号の対の高エネルギーサンプルを含む期間と同じである。したがって、それらの期間において、第１の参照信号、第２の参照信号、第３の参照信号及び第４の参照信号に関する情報は、ＳＣ−ＦＤＭＡシンボルを放出する２つの送信アンテナから放出され、非参照信号に関する情報は、この期間に放出されない（又は残余情報のみが放出される）。すなわち、参照信号は、放出器側における期間において重畳された時間領域内にあり、その結果、参照信号に関する情報は、受信機側において対応する期間内に受信される。第１のシンボルブロックに対して適用される特定の方式（ＳＳ−ＳＴＢＣ型方式）によって提供される無線信号への参照信号のサンプルのそのような挿入によって、受信機側では、参照信号のサンプルに関する情報を他の変調シンボルのサンプルに関する情報から分離することが可能になる。それゆえ、本発明によれば、非参照信号のサンプルに関する情報を含む信号の部分を抽出することなく、又は起こるにしても、非参照信号のサンプルに関する残余情報を含む信号の部分だけを抽出することなく、受信機が、時間領域において、送信された参照信号サンプルに関する情報を含む信号の部分を抽出できるようになる。
【００２７】
実際には、参照信号の高エネルギーサンプル及び非参照信号が同じ期間において異なる送信アンテナから放出されたなら、それらのサンプルは、受信機側において、対応する期間に時間領域において重畳されるように見えることになる。これにより、受信機側において、参照信号に関する情報を非参照信号に関する情報から分離できるようにするには、フル受信方式を適用する必要がある。
【００２８】
本発明による無線信号を提供するＳＳ−ＳＴＢＣ方式、例えば、ＳＳ−ＳＴＢＣは、リニア方式である。すなわち、シンボルブロックＸ＝（Ｘ０，．．．ＸＭ−１）に対してＳＳ−ＳＴＢＣ方式を適用することによって送出される無線信号は、第１のシンボルブロックＸ（０）＝（Ｘ０，０，．．．，０），．．．Ｘ（ｎ）＝（０，．．．，０，Ｘｎ，０，．．．，０），．．．Ｘ（Ｍ−１）＝（０，．．．，０，ＸＭ−１）に対して上記方式を適用することによってそれぞれ送出される各送信アンテナへの信号の和（この和は、ＩＤＦＴを適用した直後に得られる）である無線信号に等しい。第１のシンボルブロックＸ（ｎ）＝（０，．．．，０，Ｘｎ，０，．．．，０）に対して上記方式を適用することによって送出される無線信号は、シンボルＸｎに対応する無線信号内のサンプルと呼ばれる。第１のシンボルブロックＸ（ｎ）＝（０，．．．，０，Ｘｎ，０，．．．，０）に対して上記方式を適用することによって送出されるそのような各ＩＤＦＴ後信号の高エネルギーサンプルは、第１のシンボルブロック内のシンボルＸｎの位置ｎに依存した期間に存在する。
【００２９】
換言すれば、シンボルブロックＸ＝（Ｘ０，．．．ＸＭ−１）に対してＳＳ−ＳＴＢＣ方式を適用することによって送出される第１のＳＣ−ＦＤＭＡシンボル及び第２のＳＣ−ＦＤＭＡシンボルは、第１のシンボルブロックＸ（０）＝（Ｘ０，０，．．．，０），．．．Ｘ（ｎ）＝（０，．．．，０，Ｘｎ，０，．．．，０），．．．及びＸ（Ｍ−１）＝（０，．．．，０，ＸＭ−１）に対してそれぞれＳＳ−ＳＴＢＣ方式を適用することによって各アンテナ上で送出されるＳＣ−ＦＤＭＡシンボルの（ＩＤＦＴの出力における）和である第１のＳＣ−ＦＤＭＡシンボル及び第２のＳＣ−ＦＤＭＡシンボルに等しい。
【００３０】
第１のシンボルブロックＸ（ｎ）＝（０，．．．，０，Ｘｎ，０，．．．，０）に対してＳＳ−ＳＴＢＣ方式を適用することによって送出される第１のＳＣ−ＦＤＭＡシンボル及び第２のＳＣ−ＦＤＭＡシンボルの信号は、シンボルＸｎに対応するＳＣ−ＦＤＭＡシンボル内のサンプルと呼ばれる。シンボルＸｎに対応するＳＣ−ＦＤＭＡシンボル内のこれらのサンプルの高エネルギーサンプルは、第１のシンボルブロック内のシンボルＸｎの位置ｎに依存した期間に存在する。
【００３１】
簡単にするために、以下では、無線信号内のサンプルと、ＳＣ−ＦＤＭＡシンボル内のサンプルとは同義である。
【００３２】
無線信号において、異なるシンボルＸｎに対応するサンプルは、時間領域において（少なくとも残余情報を含むサンプルと）重なり合うことができ、そのようなサンプルの各セットは無線信号に寄与する。
【００３３】
シンボルＸｎに対応する無線信号内のサンプル、すなわち、ＳＣ−ＦＤＭＡシンボル内のサンプル（又は単に、対応するシンボルＸｎのサンプル）によって、Ｘｎの値がσｎに設定されているブロックＸ（ｎ）に特定の方式（ＳＳ−ＳＴＢＣ方式）を適用することによって無線信号内のサンプル、すなわち、ＳＣ−ＦＤＭＡシンボル内のサンプルを取得することができるような値σｎが存在することが分かる。これは、無線信号内のシンボルＸｎに対応するサンプルのみを定義し、そのようなサンプルを取得することができる方法を制限するものではない。シンボルＸｎは、サンプルの対応するシンボルと呼ばれ、そのような値σｎは、サンプルの対応する値（又は単に、対応する値）と呼ばれる。
【００３４】
シンボルＸｎに対応する無線信号内のサンプルは、種々の方法で無線信号に挿入することができる。例えば、シンボルＸｎの値は、対応する値σｎに設定され、特定の方式が、位置ｎにある対応する値を含む第１のシンボルブロックに適用される。別の例では、対応するシンボルＸｎの値は、第１のシンボルブロックにおいて０に設定され、その値が対応する値σｎに設定されるシンボルＸｎに対応するサンプルが、ＩＤＦＴの出力において加えられる。更に別の例では、周波数領域処理を通じて、シンボルＸｎに対応する無線信号内の所望のサンプルを取得することができる。別の例では、この所望の値は、第２のシンボルブロックに加えられる。
【００３５】
上述したように、シンボルＸｎに対応する無線信号内のサンプルは、種々の方法で取得することができ、したがって、対応する値σｎは理論的なものとすることができる。すなわち、そのような値σｎのシンボルは、特定の方式が適用されるシンボルブロックには存在しないが、代わりに、対応するシンボルＸｎを処理するのではなく、それらのサンプルをＩＤＦＴの出力に加えて、ＳＣ−ＦＤＭＡシンボルを取得することができる。本発明は、参照信号の挿入が時間領域において、すなわち、ＤＦＴ前又はＩＤＦＴ後に行われる実施形態を含むが、参照信号の挿入が周波数領域において、すなわち、ＤＦＴを適用した後であってＩＤＦＴを適用する前に行われる実施形態も含む。
【００３６】
シンボルＸｎに対応する高エネルギーサンプル（無線信号内又はＳＣ−ＦＤＭＡシンボル内）は、特定の期間の間に放出される。これらの高エネルギーサンプルの放出の期間は、第１のシンボルブロック内の対応するシンボルの位置ｎに依存する。放出の期間は、所与のシンボルＸｎに対応する無線信号内の高エネルギーサンプルの放出用のアンテナが異なるごとに異なるものとすることができる。
【００３７】
したがって、位置ｎに依存する期間とは、シンボルブロックの放出の開始に対して、第１のシンボルブロック内の位置ｎにおけるシンボルＸｎに対応する無線信号内の高エネルギーサンプルが放出される期間に関連する。
【００３８】
放出される無線信号と、ＮサイズＩＤＦＴの出力における信号とは、軽微な時間オフセットを有する場合があるが、位置ｎに依存する期間（複数の場合もある）は、位置ｎに依存するＳＣ−ＦＤＭＡシンボル内の位置のうちの１つに対応する期間（複数の場合もある）と同じとみなされる。
【００３９】
シンボルＸｎの位置ｎに依存する又は単にｎに依存するＳＣ−ＦＤＭＡシンボル内の位置は、シンボルＸｎに対応するＳＣ−ＦＤＭＡシンボル内のサンプル（より具体的には、高エネルギーのサンプル）が放出されるＳＣ−ＦＤＭＡシンボルにおける期間を指す。
【００４０】
したがって、第１のシンボルブロック内のシンボル
【数５９】
2021506162.tif 000061
の位置Ｍ／２＋Ｐ１＋ｍｏｄ（−n＋Ｐ１＋ｐ−１，Ｑ）に依存する期間は、シンボルＸｎの位置ｎに依存する期間と同じである。これらの期間の間、シンボルＸｎ及び
【数６０】
2021506162.tif 000062
にそれぞれ対応する無線信号内の高エネルギーサンプルの放出は、異なる送信アンテナからであるが、同じ期間内に行われる。
【００４１】
【数６１】
2021506162.tif 000063
であるとき、以下のことが成り立つ。
−シンボルＸｎに対応する第１の送信アンテナから放出されるサンプルは、シンボル
【数６２】
2021506162.tif 000064
に対応する第２の送信アンテナから放出されるサンプル（第１のシンボルブロック内のシンボル
【数６３】
2021506162.tif 000065
の位置Ｍ／２＋Ｐ１＋ｍｏｄ（−n＋Ｐ１＋ｐ−１，Ｑ）に依存する）と同じ期間（第１のシンボルブロック内のシンボルＸｎの位置ｎに依存する）内にある；
−シンボルＸｎに対応する第２の送信アンテナから放出されるサンプルは、シンボル
【数６４】
2021506162.tif 000066
に対応する第１の送信アンテナから放出されるサンプル（第１のシンボルブロック内のシンボル
【数６５】
2021506162.tif 000067
の位置Ｍ／２＋Ｐ１＋ｍｏｄ（−ｎ＋Ｐ１＋ｐ−１，Ｑ）に依存する）と同じ期間（第１のシンボルブロック内のシンボルＸｎの位置ｎに依存する）内にある。
【００４２】
時間間隔は、ｎ＝０〜Ｍ−１である全てのシンボルＸｎに対応するサンプルが放出される持続時間であり、ＳＣ−ＦＤＭＡシンボルの持続時間に等しい持続時間であることを意味する。
【００４３】
参照信号とは、本発明では、その値及びその位置に関して受信機によって既知であり、それに基づいて受信機が送信機と受信機との間のチャネルの影響を推定することができる全ての対応するシンボルを含む。例えば、参照信号の受信バージョン（例えば、チャネル及び／又は雑音及び／又は位相雑音等によって破損している）に基づいて、受信機は、チャネルを推定し、及び／又はチャネル推定品質を改善することができる。チャネルは、ここでは、非線形性、位相雑音、ドップラー効果、キャリア周波数オフセット等の伝播及びハードウェアの影響を含む全ての影響を包含することに留意されたい。
【００４４】
参照信号でないシンボルブロックＸ＝（Ｘ０，．．．ＸＭ−１）内のＭ−２Ｋ個のシンボルは、参照信号以外の制御データ又はユーザーデータ等の他の任意のタイプのデータからのものとすることができる。
【００４５】
Ｍは１よりも厳密に大きく、有利には、Ｍは３よりも厳密に大きく、これによって、０と異なるＭ−２Ｋを有することが可能になり、参照信号のＫ個のクワドラプレット以外のデータを送信することが可能になる。
【００４６】
ＬはＫ以下である。サイクリックプレフィックス及びサイクリックポストフィックスが、以下で説明するように加えられる場合、Ｌはｍｉｎ（Ｍ／２−Ｐ１−Ｐ２；Ｋ）以下であり、参照信号のＫ個のクワドラプレット以外のデータが送信されるとき、有利にはｍｉｎ（Ｍ／２−Ｐ１−Ｐ２−１；Ｋ）以下である。
【００４７】
送信アンテナはＭ個の周波数上で送信するように構成され、すなわち、そのような送信アンテナによって放出される信号は、Ｍ個の割り当てられたサブキャリアのサブキャリアごとに１つずつの、Ｍ個の複素シンボルにＮサイズＩＤＦＴを適用することによって与えられる。ＩＤＦＴに先行して、Ｍ個のサブキャリアは、サブキャリアマッピングモジュールによって、より多くの数のＮ個のサブキャリア上にマッピングすることができる。これらのサブキャリアのうちのＮ−Ｍ個は、０に設定されるので割り当てられないサブキャリアであり、Ｍ個の他のサブキャリアは、Ｍ個の複素シンボルがマッピングされるＭ個の割り当てられたサブキャリアである。この場合、ＩＤＦＴモジュールはサイズＮからなる。
【００４８】
無線信号は全ての送信アンテナによって合わせて与えられる信号と理解されたい。
【００４９】
本発明の場合、Ｍ個のシンボルからなる第１のシンボルブロックに適用されるプリコーダは、従来技術のＳＳ−ＳＴＢＣプリコーダではなく、以下の式によって定義される、変更されたＳＳ−ＳＴＢＣプリコーダである。
【数６６】
2021506162.tif 000068
【００５０】
ただし、ｐは既定の整数である。
【００５１】
ただし、εは既定値１又は−１である。別段の指定がない限り、以下では、ε＝１とみなす。実際に、第２のアンテナに関係した信号の正負符号（＋／−）の変化は、本方法を変えることはない。
【００５２】
したがって、第１のシンボルブロックＸ＝（Ｘ０，．．．ＸＭ−１）は、第１の部分のサイクリックプレフィックスについては、
【数６７】
2021506162.tif 000069
によって定義することができ、第１の部分のデータ／ＲＳシンボルについては、
【数６８】
2021506162.tif 000070
によって定義することができ、第１の部分のサイクリックポストフィックスについては、
【数６９】
2021506162.tif 000071
によって定義することができ、第２の部分のサイクリックプレフィックスについては、
【数７０】
2021506162.tif 000072
によって定義することができ、第２の部分のデータ／ＲＳシンボルについては、
【数７１】
2021506162.tif 000073
によって定義することができ、第２の部分のサイクリックポストフィックスについては、
【数７２】
2021506162.tif 000074
によって定義することができる。
【００５３】
変更されたＳＳ−ＳＴＢＣプリコーダを第１のシンボルブロックＸ＝（Ｘ０，．．．ＸＭ−１）に適用すると、第２のシンボルブロックＹ＝（Ｙ０，．．．ＹＭ−１）が取得される。この第２のシンボルブロックは、事前に定義された第１のシンボルブロックに対して相対的に定義することができ、第１の部分のサイクリックプレフィックスについては、
【数７３】
2021506162.tif 000075
によって定義することができ、第１の部分のデータ／ＲＳシンボルについては、
【数７４】
2021506162.tif 000076
によって定義することができ、第１の部分のサイクリックポストフィックスについては、
【数７５】
2021506162.tif 000077
によって定義することができ、第２の部分のサイクリックプレフィックスについては、
【数７６】
2021506162.tif 000078
によって定義することができ、第２の部分のデータ／ＲＳシンボルについては、
【数７７】
2021506162.tif 000079
によって定義することができ、第２の部分のサイクリックポストフィックスについては、
【数７８】
2021506162.tif 000080
によって定義することができる。
【００５４】
ただし、
【数７９】
2021506162.tif 000081
であり、
【数８０】
2021506162.tif 000082
であり、Ｘ＊はＸの複素共役である。
【００５５】
ｍｏｄ（Ａ，Ｂ）は、ＢによるＡのユークリッド除法の剰余であるＡモジュロＢであることを意味する。形式的に、ｍｏｄ（Ａ，Ｂ）は、Ａ−Ｅ［Ａ／Ｂ］＊Ｂと記述することができる。
【００５６】
Ｋ及び／又はＬは、位相追跡及び／又はチャネル推定が効率的であり、及び／又は、信頼できるチャネル推定値の計算を可能にすることを確保するために、既定の閾値よりも大きなものを選ぶことができる。
【００５７】
Ｋ及び／又はＬは、送信される参照信号の数を削減し、したがって、より多くのデータの送信及びスループットの向上を可能にするために、既定の閾値よりも小さなものを選ぶこともできる。
【００５８】
本発明の一態様によれば、Ｌ個のクワドラプレットの中のクワドラプレットｉごとに、第１の参照信号、第２の参照信号、第３の参照信号及び第４の参照信号を挿入することは、プリコーダ及び第１の送信アンテナに対応するＭサイズＤＦＴを第１のシンボルブロックに適用する前に、シンボル
【数８１】
2021506162.tif 000083
及びシンボル
【数８２】
2021506162.tif 000084
の値を、それぞれクワドラプレットｉの第１の参照信号及び第２の参照信号を表す値に設定することによって行われる。
【００５９】
ＤＦＴ前挿入と呼ばれるこの実施形態では、参照信号は、ＤＦＴ前レベルにおいてシンボルブロックに挿入される。したがって、シンボル
【数８３】
2021506162.tif 000085
及び
【数８４】
2021506162.tif 000086
の値は、受信機によって既知である値に設定される。そのような実施態様は、任意の標準的な放出器に容易に適合することができ、したがって、全ての送信機において実施することができる。その上、参照信号のサンプルのＩＤＦＴ後処理又はメモリ記憶等の追加の動作の必要がない。
【００６０】
参照信号を表す値は、受信機によって既知である参照信号のサンプルの対応する値である。シンボル
【数８５】
2021506162.tif 000087
及び
【数８６】
2021506162.tif 000088
が設定されるこれらの値は、例えば、デジタル変調方式のシンボルの値、又は、後述するようなＣＡＺＡＣ系列から得られる値とすることができる。
【００６１】
本発明の一態様によれば、クワドラプレットｉごとに、上記方法は、
プリコーダを第１のシンボルブロックに適用する前に、
【数８７】
2021506162.tif 000089
であるシンボル
【数８８】
2021506162.tif 000090
及びシンボル
【数８９】
2021506162.tif 000091
の値を０に設定すること、
を更に含み、
第１の参照信号、第２の参照信号、第３の参照信号及び第４の参照信号を挿入することは、
プリコーダを第１のシンボルブロックに適用した後であって、第１の送信アンテナに対応するＭサイズＤＦＴを第１のシンボルブロックに適用する前に、シンボル
【数９０】
2021506162.tif 000092
及びシンボル
【数９１】
2021506162.tif 000093
の値を、それぞれクワドラプレットｉの第１の参照信号及び第２の参照信号を表す値に設定することと、
第２の送信アンテナに対応するＭサイズＤＦＴを第２のシンボルブロックに適用する前に、シンボル
【数９２】
2021506162.tif 000094
及びシンボル
【数９３】
2021506162.tif 000095
の値を、それぞれクワドラプレットｉの第４の参照信号及び第３の参照信号を表す値に設定することと、
によって行われる。
【００６２】
プリコーディング後シンボルＸｎに対応する第１のＳＣ−ＦＤＭＡシンボル内のサンプル（又は単に、対応するプリコーディング後シンボルＸｎのサンプル）によって、Ｘｎの値がρｎに設定されたブロックＸ（ｎ）にＳＣ−ＦＤＭＡ方式（ＤＦＴサブキャリアマッピングＩＤＦＴ）を適用することによって第１のＳＣ−ＦＤＭＡシンボル内のこれらのサンプルを取得することができるような値ρｎが存在することが分かる。これは、第１のＳＣ−ＦＤＭＡシンボル及び第２のＳＣ−ＦＤＭＡシンボル内の双方のサンプルを定義するシンボルＸｎに対応するサンプルとは逆に、第１のＳＣ−ＦＤＭＡシンボル内のプリコーディング後シンボルＸｎに対応するサンプルのみを定義する。シンボルＸｎは、サンプルの対応するプリコーディング後シンボルと呼ばれ、そのような値ρｎは、サンプルの対応するプリコーディング後の値（又は単に、対応するプリコーディング後の値）と呼ばれる。
【００６３】
プリコーディング後シンボルＹｎに対応する第２のＳＣ−ＦＤＭＡシンボル内のサンプル（又は単に、対応するプリコーディング後シンボルＹｎのサンプル）によって、Ｙｎの値がρ’ｎに設定されたブロックＹ（ｎ）にＳＣ−ＦＤＭＡ方式（ＤＦＴサブキャリアマッピングＩＤＦＴ）を適用することによって第２のＳＣ−ＦＤＭＡシンボル内のこれらのサンプルを取得することができるような値ρ’ｎが存在することが分かる。これは、第２のＳＣ−ＦＤＭＡシンボル内のプリコーディング後シンボルＹｎに対応するサンプルのみを定義するが、そのようなサンプルを取得することができる方法を制限するものではない。シンボルＹｎは、サンプルの対応するプリコーディング後シンボルと呼ばれ、そのような値ρ’ｎは、サンプルの対応するプリコーディング後の値（又は単に、対応するプリコーディング後の値）と呼ばれる。
【００６４】
プリコーディング後挿入と呼ばれるこの実施形態では、参照信号は、プリコーディングが適用された後に挿入される。これによって、ＳＳ−ＳＴＢＣプリコーダを通じて非参照信号シンボルのみを処理することが可能になる。したがって、参照信号シンボル及び非参照信号シンボルを異なる方法で処理することができる。これによって、例えば、第２のシンボルブロック内の参照信号を１度だけで処理することが可能になる。
【００６５】
本発明の一態様によれば、クワドラプレットｉごとに、上記方法は、
プリコーダ及びＭサイズＤＦＴを第１のシンボルブロックに適用する前に、
【数９４】
2021506162.tif 000096
であるシンボル
【数９５】
2021506162.tif 000097
及びシンボル
【数９６】
2021506162.tif 000098
の値を０に設定すること、
を更に含み、
第１の参照信号、第２の参照信号、第３の参照信号及び第４の参照信号を挿入することは、
第１の参照信号のサンプル及び第２の参照信号のサンプルを第１の送信アンテナに対応するＮサイズＩＤＦＴの出力信号に加えて、第１のＳＣ−ＦＤＭＡシンボルを取得することと、
第３の参照信号のサンプル及び第４の参照信号のサンプルを第２の送信アンテナに対応するＮサイズＩＤＦＴの出力信号に加えて、第２のＳＣ−ＦＤＭＡシンボルを取得することと、
によって行われる。
【００６６】
ＩＤＦＴ後挿入と呼ばれるこの実施形態では、参照信号は、ＩＤＦＴを適用した後に挿入される。これは、本発明に従って、シンボルブロックに適用される特定の方式を通して、非参照信号シンボルのみを処理できるようにする。したがって、参照信号シンボル及び非参照信号シンボルは異なる方法で処理することができる。これは、例えば、一度だけで、参照信号のサンプルを処理できるようにする。これは、例えば、参照信号のサンプルに適用される特定の処理によって、非参照信号のサンプルへの参照信号のサンプルの干渉を抑制できるようにする。
【００６７】
参照信号のサンプルを事前に計算して、参照信号の第１のシンボルブロック及び第２のシンボルブロックへのＤＦＴ前挿入又はプリコーディング後挿入（ＤＦＴ前独立挿入とも呼ばれる）によって取得されたであろうサンプルと同一又は少なくとも同等（すなわち、高電力サンプルの点で同一）のサンプルを取得することができる。これは、ＤＦＴ前挿入の場合には、
【数９７】
2021506162.tif 000099
ごとに、シンボル
【数９８】
2021506162.tif 000100
及び
【数９９】
2021506162.tif 000101
の値を、受信機によって既知である値に設定するとともに、シンボルブロックＸ内の残りの値を０に設定することによって、第１のＳＣ−ＦＤＭＡシンボル内の第１の参照信号及び第２の参照信号のサンプルと、第２のＳＣ−ＦＤＭＡシンボル内の第３の参照信号及び第４の参照信号のサンプルとを取得することによって行われる。これは、プリコーディング後挿入の場合には、
【数１００】
2021506162.tif 000102
ごとに、プリコーダの適用後であってＤＦＴの適用前のシンボル
【数１０１】
2021506162.tif 000103
及び
【数１０２】
2021506162.tif 000104
値を、受信機によって既知である値（それぞれ
【数１０３】
2021506162.tif 000105
及び
【数１０４】
2021506162.tif 000106
）に設定することによって第１のＳＣ−ＦＤＭＡシンボル内の第１の参照信号及び第２の参照信号のサンプルを取得するとともに、シンボル
【数１０５】
2021506162.tif 000107
及び
【数１０６】
2021506162.tif 000108
値を、受信機によって既知である値（それぞれ
【数１０７】
2021506162.tif 000109
及び
【数１０８】
2021506162.tif 000110
）に設定することによって第２のＳＣ−ＦＤＭＡシンボル内の第３の参照信号及び第４の参照信号のサンプルを取得することによって行われる。この場合、参照信号のサンプルは、ＤＦＴ前又はプリコーディング後に挿入された場合と同じ又は同等の無線信号を取得するように挿入される。
【００６８】
ＭサイズＤＦＴの適用後であって、ＮサイズＩＤＦＴの適用前である周波数領域において参照信号を挿入することも可能である。
【００６９】
本発明の一態様によれば、方法は、クワドラプレットｉの第１の参照信号、第２の参照信号、第３の参照信号及び第４の参照信号を挿入する前に、少なくとも１つの
【数１０９】
2021506162.tif 000111
について、
第１のシンボルブロック内のシンボル
【数１１０】
2021506162.tif 000112
の位置ｎｉ及び／又はシンボル
【数１１１】
2021506162.tif 000113
の位置Ｍ／２＋Ｐ１＋ｍｏｄ（−ｎｉ＋Ｐ１＋ｐ−１，Ｑ）に依存する少なくとも第１のＳＣ−ＦＤＭＡシンボル内の位置のうちの１つに対応する期間の間に、第１の送信アンテナに対応するＮサイズＩＤＦＴの出力信号を０に設定すること、及び／又は、
第１のシンボルブロック内のシンボル
【数１１２】
2021506162.tif 000114
の位置ｎｉ及び／又はシンボル
【数１１３】
2021506162.tif 000115
の位置Ｍ／２＋Ｐ１＋ｍｏｄ（−ｎｉ＋Ｐ１＋ｐ−１，Ｑ）に依存する少なくとも第２のＳＣ−ＦＤＭＡシンボル内の位置のうちの１つに対応する期間の間に、第２の送信アンテナに対応するＮサイズＩＤＦＴの出力信号を０に設定すること、
を更に含む。
【００７０】
シンボル
【数１１４】
2021506162.tif 000116
及びシンボル
【数１１５】
2021506162.tif 000117
の値が０に設定されたシンボルブロックに特定の方式を適用するとき、Ｌ個のクワドラプレットの中の少なくとも１つのクワドラプレットｉについて、ｎｉ及びＭ／２＋Ｐ１＋ｍｏｄ（−ｎｉ＋Ｐ１＋ｐ−１，Ｑ）と異なるｎを有するシンボルＸｎからの干渉は、クワドラプレットｉの参照信号のサンプルが挿入される期間内、すなわち、上記
【数１１６】
2021506162.tif 000118
である位置ｎｉ及びＭ／２＋Ｐ１＋ｍｏｄ（−ｎｉ＋Ｐ１＋ｐ−１，Ｑ）に依存する期間内に発生し得る。したがって、ＮサイズＩＤＦＴの出力信号は、それらの期間の間０に設定され、したがって、干渉が減少する。
【００７１】
本発明の一態様によれば、方法は、
【数１１７】
2021506162.tif 000119
である正の整数ｋｌ及びｋ’ｌの対の数Ｈであって、１よりも厳密に大きく、
【数１１８】
2021506162.tif 000120
となるようなＨと、
１よりも厳密に大きい正の整数ｄと、
【数１１９】
2021506162.tif 000121
であり、
【数１２０】
2021506162.tif 000122
となるようなＬ個の整数ｎｉと、
を求めることを更に含む。
【００７２】
これによって、連続した参照信号のグループを設定することが可能になる。すなわち、グループｌの参照信号のサンプルの対応するシンボル
【数１２１】
2021506162.tif 000123
は、第１のシンボルブロック内の連続したシンボルである。これは、
【数１２２】
2021506162.tif 000124
がｋ’ｌ−ｋｌに等しいことと等価である。整数ｄは、２つのグループ間に設定される最小距離である。これによって、様々なサイズの４．Ｈグループを定義することが可能になる。実際に、
【数１２３】
2021506162.tif 000125
である対応するシンボル
【数１２４】
2021506162.tif 000126
、    
【数１２５】
2021506162.tif 000127
及び
【数１２６】
2021506162.tif 000128
も、連続したシンボルのグループとして設定される。対応するシンボルの連続したグループを有することによって、非参照信号シンボル及びマルチパス伝播の双方からの干渉に対するロバスト性が高められる。より多くのグループが定義されるほど、位相変動をより正確に追跡することができる。
【００７３】
本発明の一態様によれば、方法は、
１よりも厳密に大きい正の整数ｄと、
【数１２７】
2021506162.tif 000129
であり、
【数１２８】
2021506162.tif 000130
となるようなＬ個の整数ｎｉと、
を求めることを更に含む。
【００７４】
これによって、分散した参照信号のＬ個のクワドラプレットを設定することが可能になる。整数ｄは、その対応するシンボルが、
【数１２９】
2021506162.tif 000131
である位置ｎｉ及びｎｉ＋１にある分散した参照信号の間に設定される最小距離である。より多くの分散した参照信号が定義されるほど、位相変動をより正確に追跡することができる。
【００７５】
本発明の一態様によれば、ｎＬ−ｎ１＝Ｌ−１である。
【００７６】
これは、無線信号内に挿入される全ての参照信号をＬ個の連続した参照信号からなる少なくとも４つのグループとして設定できるようにし、参照信号のサンプルと非参照信号サンプルとの間の干渉を低減する。
【００７７】
本発明の一態様によれば、第１のＳＣ−ＦＤＭＡシンボル内のサンプルが、その値がρｎに設定されたシンボルＸｎから取得されるような値ρｎは、
−
【数１３０】
2021506162.tif 000132
である場合には、第１のＳＣ−ＦＤＭＡシンボル内のサンプルが、その値がρｎ＋Ｑに設定されたシンボルＸｎ＋Ｑから取得されるような値ρｎ＋Ｑに等しく、
−
【数１３１】
2021506162.tif 000133
である場合には、第１のＳＣ−ＦＤＭＡシンボル内のサンプルが、その値がρｎ−Ｑに設定されたシンボルＸｎ−Ｑから取得されるような値ρｎ−Ｑに等しく、及び／又は、
第２のＳＣ−ＦＤＭＡシンボル内のサンプルが、その値がρ’ｎに設定されたシンボルＹｎから取得されるような値ρ’ｎは、
−
【数１３２】
2021506162.tif 000134
である場合には、第２のＳＣ−ＦＤＭＡシンボル内のサンプルが、その値がρ’ｎ＋Ｑに設定されたシンボルＸｎ＋Ｑから取得されるような値ρ’ｎ＋Ｑに等しく、
−
【数１３３】
2021506162.tif 000135
である場合には、第２のＳＣ−ＦＤＭＡシンボル内のサンプルが、その値がρ’ｎ−Ｑに設定されたシンボルＸｎ−Ｑから取得されるような値ρ’ｎ−Ｑに等しい。
【００７８】
これによって、第１のシンボルブロックにおける第１のＭ／２個のシンボル及び第２のＭ／２個のシンボルのグループ内にサイクリックプレフィックス及びサイクリックポストフィックスを生成することが可能になる。プリコーダによって適用される変換に起因して、第２のシンボルブロックにおいて、同じサイクリックプレフィックス／サイクリックポストフィックス方式が再現される。
【００７９】
このサイクリックプレフィックス／サイクリックポストフィックス方式によって、シンボルブロックの最初のＭ／２個のシンボルとシンボルブロックの最後のＭ／２個のシンボルとの間の干渉を回避又は少なくとも低減することが可能になる。
【００８０】
本発明の一態様によれば、その値が
【数１３４】
2021506162.tif 000136
に設定されたシンボル
【数１３５】
2021506162.tif 000137
から取得される第１のＳＣ−ＦＤＭＡシンボル内のサンプルが第１のＳＣ−ＦＤＭＡシンボル内のクワドラプレットｉの第１の参照信号のサンプルに等しいような値
【数１３６】
2021506162.tif 000138
は、ＣＡＺＡＣ系列の構成要素であり、及び／又は、
その値が
【数１３７】
2021506162.tif 000139
に設定されたシンボル
【数１３８】
2021506162.tif 000140
から取得される第１のＳＣ−ＦＤＭＡシンボル内のサンプルが第１のＳＣ−ＦＤＭＡシンボル内のクワドラプレットｉの第２の参照信号のサンプルに等しいような値
【数１３９】
2021506162.tif 000141
は、ＣＡＺＡＣ系列の構成要素である。
【００８１】
本発明の一態様によれば、その値が
【数１４０】
2021506162.tif 000142
に設定されたシンボル
【数１４１】
2021506162.tif 000143
から取得される第１のＳＣ−ＦＤＭＡシンボル内のサンプルが第１のＳＣ−ＦＤＭＡシンボル内のクワドラプレットｉの第１の参照信号のサンプルに等しいような値
【数１４２】
2021506162.tif 000144
は、ＣＡＺＡＣ系列の構成要素であり、及び／又は、
その値が
【数１４３】
2021506162.tif 000145
に設定されたシンボル
【数１４４】
2021506162.tif 000146
から取得される第１のＳＣ−ＦＤＭＡシンボル内のサンプルが第１のＳＣ−ＦＤＭＡシンボル内のクワドラプレットｉの第２の参照信号のサンプルに等しいような値
【数１４５】
2021506162.tif 000147
は、ＣＡＺＡＣ系列の構成要素であり、及び／又は、
その値が
【数１４６】
2021506162.tif 000148
に設定されたシンボル
【数１４７】
2021506162.tif 000149
から取得される第２のＳＣ−ＦＤＭＡシンボル内のサンプルが第２のＳＣ−ＦＤＭＡシンボル内のクワドラプレットｉの第３の参照信号のサンプルに等しいような値
【数１４８】
2021506162.tif 000150
は、ＣＡＺＡＣ系列の構成要素であり、及び／又は、
その値が
【数１４９】
2021506162.tif 000151
に設定されたシンボル
【数１５０】
2021506162.tif 000152
から取得される第２のＳＣ−ＦＤＭＡシンボル内のサンプルが第２のＳＣ−ＦＤＭＡシンボル内のクワドラプレットｉの第４の参照信号のサンプルに等しいような値
【数１５１】
2021506162.tif 000153
は、ＣＡＺＡＣ系列の構成要素である。
【００８２】
これによって、２つの参照信号の重なり合ったサンプルをより効率的に区別することが可能になる。例えば、
【数１５２】
2021506162.tif 000154
に対応するサンプル及び
【数１５３】
2021506162.tif 000155
に対応するサンプルは、同じ期間内に放出され、したがって、対応するプリコーディング後の値
【数１５４】
2021506162.tif 000156
、
【数１５５】
2021506162.tif 000157
、
【数１５６】
2021506162.tif 000158
及び
【数１５７】
2021506162.tif 000159
を直交するＣＡＺＡＣ系列の構成要素として定義することによって、各参照信号を区別して処理することがより効率的になる。
【００８３】
ＤＦＴ前挿入の場合、この実施形態は、
【数１５８】
2021506162.tif 000160
であるシンボル
【数１５９】
2021506162.tif 000161
の対応する値をＣＡＺＡＣ系列の構成要素として設定すること、及び／又は、
【数１６０】
2021506162.tif 000162
であるシンボル
【数１６１】
2021506162.tif 000163
の対応する値をＣＡＺＡＣ系列の構成要素として設定することと同一である。
【００８４】
【数１６２】
2021506162.tif 000164
であるシンボル
【数１６３】
2021506162.tif 000165
がＣＡＺＡＣ系列の構成要素であるような第２のＣＡＺＡＣ系列は、第１のＣＡＺＡＣ系列に直交するものを選択することが有利であり得る。
【００８５】
全ての対応するプリコーディング後の値
【数１６４】
2021506162.tif 000166
及び
【数１６５】
2021506162.tif 000167
と、
【数１６６】
2021506162.tif 000168
及び
【数１６７】
2021506162.tif 000169
とをそれぞれ直交するＣＡＺＡＣ系列の構成要素に設定することが有利である。
【００８６】
本発明の一態様によれば、ＣＡＺＡＣ系列はＺａｄｏｆｆ−Ｃｈｕ系列である。
【００８７】
Ｚａｄｏｆｆ−Ｃｈｕ系列は、各参照信号を区別する際により効率的である特定のＣＡＺＡＣ系列である。
【００８８】
別の例では、対応する値
【数１６８】
2021506162.tif 000170
及び
【数１６９】
2021506162.tif 000171
は、シンボルブロックからデータを取得するのに用いられるデジタル変調方式からの既知の変調シンボルに設定される。
【００８９】
別の例では、対応するプリコーディング後の値
【数１７０】
2021506162.tif 000172
、
【数１７１】
2021506162.tif 000173
、
【数１７２】
2021506162.tif 000174
及び
【数１７３】
2021506162.tif 000175
は、シンボルブロックからデータを取得するのに用いられるデジタル変調方式からの既知の変調シンボルに設定される。
【００９０】
本発明の一態様によれば、その値が
【数１７４】
2021506162.tif 000176
に設定されるシンボル
【数１７５】
2021506162.tif 000177
から取得される第１のＳＣ−ＦＤＭＡシンボル内のサンプルが、第１のＳＣ−ＦＤＭＡシンボル内のクワドラプレットｉの第１の参照信号のサンプルに等しいような値
【数１７６】
2021506162.tif 000178
は、その値が
【数１７７】
2021506162.tif 000179
に設定されるシンボル
【数１７８】
2021506162.tif 000180
から取得される第２のＳＣ−ＦＤＭＡシンボル内のサンプルが、第２のＳＣ−ＦＤＭＡシンボル内のクワドラプレットｉの第４の参照信号のサンプルに等しいような値
【数１７９】
2021506162.tif 000181
に等しく、及び／又は、
その値が
【数１８０】
2021506162.tif 000182
に設定されるシンボル
【数１８１】
2021506162.tif 000183
から取得される第１のＳＣ−ＦＤＭＡシンボル内のサンプルが、第１のＳＣ−ＦＤＭＡシンボル内のクワドラプレットｉの第２の参照信号のサンプルに等しいような値
【数１８２】
2021506162.tif 000184
は、その値が
【数１８３】
2021506162.tif 000185
に設定されるシンボル
【数１８４】
2021506162.tif 000186
から取得される第２のＳＣ−ＦＤＭＡシンボル内のサンプルが、第２のＳＣ−ＦＤＭＡシンボル内のクワドラプレットｉの第３の参照信号のサンプルに等しいような値
【数１８５】
2021506162.tif 000187
に等しい。
【００９１】
すなわち、対応するプリコーディング後の値
【数１８６】
2021506162.tif 000188
はそれぞれ、対応するプリコーディング後の値
【数１８７】
2021506162.tif 000189
に等しく、及び／又は、対応するプリコーディング後の値
【数１８８】
2021506162.tif 000190
はそれぞれ、対応するプリコーディング後の値
【数１８９】
2021506162.tif 000191
に等しい。
【００９２】
これによって、受信機側において参照信号を効率的に区別して処理することが可能になる。なぜならば、第１のＳＣ−ＦＤＭＡシンボル内の第１の参照信号に対応するサンプル及び第２のＳＣ−ＦＤＭＡシンボル内の第４の参照信号に対応するサンプルは同一であり、同時に放出されるからである。
【００９３】
ＤＦＴ前挿入において、対応するプリコーディング後の値
【数１９０】
2021506162.tif 000192
が、対応するプリコーディング後の値
【数１９１】
2021506162.tif 000193
に等しいことを得るには、
【数１９２】
2021506162.tif 000194
を
【数１９３】
2021506162.tif 000195
に設定しなければならない。ＤＦＴ前挿入において、対応するプリコーディング後の値
【数１９４】
2021506162.tif 000196
が、対応するプリコーディング後の値
【数１９５】
2021506162.tif 000197
に等しいことを得るには、
【数１９６】
2021506162.tif 000198
を    
【数１９７】
2021506162.tif 000199
に設定しなければならない。したがって、ＤＦＴ前挿入の場合には、
【数１９８】
2021506162.tif 000200
のみを
【数１９９】
2021506162.tif 000201
に等しくすることができるか、又は、
【数２００】
2021506162.tif 000202
を    
【数２０１】
2021506162.tif 000203
に等しくすることができる。
【００９４】
本発明の一態様によれば、
【数２０２】
2021506162.tif 000204
である値
【数２０３】
2021506162.tif 000205
、    
【数２０４】
2021506162.tif 000206
、    
【数２０５】
2021506162.tif 000207
及び
【数２０６】
2021506162.tif 000208
のモジュールの中の最大モジュールは、第１のシンボルブロックのシンボルを取得するのに用いられるデジタル変調方式の変調シンボルのモジュールの中の最大モジュール以下であり、
【数２０７】
2021506162.tif 000209
は、その値が
【数２０８】
2021506162.tif 000210
に設定されるシンボル
【数２０９】
2021506162.tif 000211
から取得される第１のＳＣ−ＦＤＭＡシンボル内のサンプルが、第１のＳＣ−ＦＤＭＡシンボル内のクワドラプレットｉの第１の参照信号のサンプルに等しいような値であり、
【数２１０】
2021506162.tif 000212
は、その値が
【数２１１】
2021506162.tif 000213
に設定されるシンボル
【数２１２】
2021506162.tif 000214
から取得される第１のＳＣ−ＦＤＭＡシンボル内のサンプルが、第１のＳＣ−ＦＤＭＡシンボル内のクワドラプレットｉの第２の参照信号のサンプルに等しいような値であり、
【数２１３】
2021506162.tif 000215
は、その値が
【数２１４】
2021506162.tif 000216
に設定されるシンボル
【数２１５】
2021506162.tif 000217
から取得される第２のＳＣ−ＦＤＭＡシンボル内のサンプルが、第２のＳＣ−ＦＤＭＡシンボル内のクワドラプレットｉの第３の参照信号のサンプルに等しいような値であり、
【数２１６】
2021506162.tif 000218
は、その値が
【数２１７】
2021506162.tif 000219
に設定されるシンボル
【数２１８】
2021506162.tif 000220
から取得される第２のＳＣ−ＦＤＭＡシンボル内のサンプルが、第２のＳＣ−ＦＤＭＡシンボル内のクワドラプレットｉの第４の参照信号のサンプルに等しいような値である。
【００９５】
これによって、ＰＡＰＲを増加させることなく参照信号を挿入することが可能になる。実際に、単一のキャリア特性は、本発明に従って参照信号を挿入することによって維持され、さらに、デジタル変調方式の最大モジュールを考慮して対応する値を設定することによって、ピーク対平均電力比のレベルを維持することが保証される。
【００９６】
ＤＦＴ前挿入の場合、この実施形態は、シンボル
【数２１９】
2021506162.tif 000221
の値及びシンボル
【数２２０】
2021506162.tif 000222
の値を、これらの値のモジュールが、シンボルブロックを取得するのに用いられるデジタル変調方式の全ての変調シンボルの最大モジュール以下であるように設定することと同一である。
【００９７】
シンボルの値ρ’は、効果的に設定されない場合がある。実際に、幾つかの場合（例えば、参照信号がＤＦＴ前に挿入されるとき）には、そのような値は、第１のシンボルブロックの値によって間接的に与えられ、任意の値に設定されない場合がある。したがって、シンボルのこの値は、ρ’に設定されるのではなく、単に値ρ’である。
【００９８】
本発明の第２の態様は、プロセッサによって実行されると、上記で説明されたような方法を実行するコード命令を含むコンピュータプログラム製品に関する。
【００９９】
本発明の第３の態様は、第１の参照信号、第２の参照信号、第３の参照信号及び第４の参照信号のＫ個のクワドラプレットを、無線通信システムを介して送信される無線信号に挿入するデバイスであって、上記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、上記無線信号は、
【数２２１】
2021506162.tif 000223
であり、Ｐ１及びＰ２は、Ｐ１＋Ｐ２がＭ／２よりも厳密に小さくなるような既定の正の整数又は０に等しい整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、Ｍ個のシンボルからなる第１のシンボルブロックを表す第１の単一キャリア周波数分割多元接続（ＳＣ−ＦＤＭＡ）シンボルを取得することと、
Ｍ個のシンボルからなる第２のシンボルブロックに、少なくとも、第２の送信アンテナに対応するＭサイズＤＦＴを適用し、次に、ＮサイズＩＤＦＴを適用して、所与の持続時間を有する、Ｍ個のシンボルからなる第２のシンボルブロックを表す第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
によって処理され、
上記デバイスは、
プロセッサと、
命令が記憶された非一時的コンピュータ可読媒体と、
を備え、
命令は、プロセッサによって実行されると、
【数２２２】
2021506162.tif 000224
であるような整数のｍｉｎ（Ｍ／２−Ｐ１−Ｐ２；Ｋ）以下の数Ｌを求めることと、
Ｋ個のクワドラプレットの中の第１の参照信号、第２の参照信号、第３の参照信号及び第４の参照信号のＬ個のクワドラプレットの中からの第ｉのクワドラプレットごとに、
第１の参照信号のサンプルが、Ｍ個のシンボルからなる第１のシンボルブロック内のシンボル
【数２２３】
2021506162.tif 000225
の位置ｎｉに依存した第１のＳＣ−ＦＤＭＡシンボル内の位置にあるような第１の参照信号を挿入することと、
第２の参照信号のサンプルが、Ｍ個のシンボルからなる第１のシンボルブロック内のシンボル
【数２２４】
2021506162.tif 000226
の位置Ｍ／２＋Ｐ１＋ｍｏｄ（−ｎｉ＋Ｐ１＋ｐ−１，Ｑ）に依存した第１のＳＣ−ＦＤＭＡシンボル内の位置にあるような第２の参照信号を挿入することと、
第３の参照信号のサンプルが、Ｍ個のシンボルからなる第１のシンボルブロック内のシンボル
【数２２５】
2021506162.tif 000227
の位置ｎｉに依存した第２のＳＣ−ＦＤＭＡシンボル内の位置にあるような第３の参照信号を挿入することと、
第４の参照信号のサンプルが、Ｍ個のシンボルからなる第１のシンボルブロック内のシンボル
【数２２６】
2021506162.tif 000228
の位置Ｍ／２＋Ｐ１＋ｍｏｄ（−ｎｉ＋Ｐ１＋ｐ−１，Ｑ）に依存した第２のＳＣ−ＦＤＭＡシンボル内の位置にあるような第４の参照信号を挿入することと、
を行うように上記デバイスを構成する、デバイスに関する。
【０１００】
本発明の第４の態様は、無線通信システムを介して受信される無線信号内の第１の参照信号、第２の参照信号、第３の参照信号及び第４の参照信号のＫ個のクワドラプレットを抽出する、又は、第１の参照信号、第２の参照信号、第３の参照信号及び第４の参照信号の最大でもＫ個のクワドラプレットを抽出する方法であって、上記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、無線信号の放出は、
【数２２７】
2021506162.tif 000229
であり、Ｐ１及びＰ２は、Ｐ１＋Ｐ２がＭ／２よりも厳密に小さくなるような既定の正の整数又は０に等しい整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、Ｍ個のシンボルからなる第１のシンボルブロックを表す第１の単一キャリア周波数分割多元接続（ＳＣ−ＦＤＭＡ）シンボルを取得することと、
Ｍ個のシンボルからなる第２のシンボルブロックに、少なくとも、第２の送信アンテナに対応するＭサイズＤＦＴを適用し、次に、ＮサイズＩＤＦＴを適用して、所与の持続時間を有する、Ｍ個のシンボルからなる第２のシンボルブロックを表す第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
によって処理され、
上記第１の参照信号、第２の参照信号、第３の参照信号及び第４の参照信号は、
【数２２８】
2021506162.tif 000230
であるような整数のｍｉｎ（Ｍ／２−Ｐ１−Ｐ２；Ｋ）以下の数Ｌを求めることと、
Ｋ個のクワドラプレットの中の第１の参照信号、第２の参照信号、第３の参照信号及び第４の参照信号のＬ個のクワドラプレットの中からの第ｉのクワドラプレットごとに、
第１の参照信号のサンプルが、Ｍ個のシンボルからなる第１のシンボルブロック内のシンボル
【数２２９】
2021506162.tif 000231
の位置ｎｉに依存した第１のＳＣ−ＦＤＭＡシンボル内の位置にあるような第１の参照信号を挿入することと、
第２の参照信号のサンプルが、Ｍ個のシンボルからなる第１のシンボルブロック内のシンボル
【数２３０】
2021506162.tif 000232
の位置Ｍ／２＋Ｐ１＋ｍｏｄ（−ｎｉ＋Ｐ１＋ｐ−１，Ｑ）に依存した第１のＳＣ−ＦＤＭＡシンボル内の位置にあるような第２の参照信号を挿入することと、
第３の参照信号のサンプルが、Ｍ個のシンボルからなる第１のシンボルブロック内のシンボル
【数２３１】
2021506162.tif 000233
の位置ｎｉに依存した第２のＳＣ−ＦＤＭＡシンボル内の位置にあるような第３の参照信号を挿入することと、
第４の参照信号のサンプルが、Ｍ個のシンボルからなる第１のシンボルブロック内のシンボル
【数２３２】
2021506162.tif 000234
の位置Ｍ／２＋Ｐ１＋ｍｏｄ（−ｎｉ＋Ｐ１＋ｐ−１，Ｑ）に依存した第２のＳＣ−ＦＤＭＡシンボル内の位置にあるような第４の参照信号を挿入することと、
によって無線信号に挿入され、
上記方法は、Ｌ個のクワドラプレットの中の第１の参照信号、第２の参照信号、第３の参照信号及び第４の参照信号の少なくとも１つのクワドラプレットｉについて、
受信された無線信号に対してＮサイズＤＦＴを適用する前に、無線信号の部分であって、各部分は、所与の時間間隔に厳密に含まれる時間窓の中の１つの時間窓において受信される、部分を抽出することと、
上記抽出された部分を受信された無線信号の他の部分から独立して処理することと、
を含む、方法に関する。
【０１０１】
本発明の一態様によれば、時間窓の中の各時間窓は、第１のＳＣ−ＦＤＭＡシンボル及び／又は第２のＳＣ−ＦＤＭＡシンボル内の位置の中の１つの位置にあるサンプルの受信に対応する少なくとも１つの期間を厳密に含む。或いは、各時間窓は、第１のＳＣ−ＦＤＭＡシンボル及び／又は第２のＳＣ−ＦＤＭＡシンボル内の位置の中の１つの位置にあるサンプルの受信に対応する少なくとも１つの期間に厳密に含まれる。或いは、各時間窓は、第１のＳＣ−ＦＤＭＡシンボル及び／又は第２のＳＣ−ＦＤＭＡシンボル内の位置の中の１つの位置にあるサンプルの受信に対応する１つの期間に等しい。
【０１０２】
特定の方式に従って与えられる無線信号及び本発明に従って挿入される参照信号の場合に、これは、各受信アンテナ上で受信された、参照信号を表す情報を含む無線信号の部分を抽出できるようにする。より厳密には、その方法は、非参照信号のサンプルに関する情報を含む無線信号の部分を抽出することなく、又は起こるにしても、非参照信号のサンプルに関する残余情報を含む無線信号の部分だけを抽出することなく、時間領域において、送信された参照信号に関する情報を含む無線信号の部分を抽出できるようにする。
【０１０３】
この抽出は、受信された無線信号上で、時間領域において、すなわち、図５に関して、各受信アンテナＲｘ１，．．．ＲｘＱに関連付けられるＤＦＴモジュールを適用する前に実施される。
【０１０４】
所与の期間において生じる送信機側における任意の放出に関して、受信機側において、受信信号がその所与の期間において送信機側において送信された情報を表す対応する期間が存在する。例えば、伝播遅延及び／又はハードウェアの影響を考慮に入れると、一定の時間基準に対して、送信機側における所与の期間の開始と受信機側における対応する期間の開始との間には時間差がある。
【０１０５】
以下において、説明を明確にするために、送信機側における所与の期間及び受信機側における対応する期間が、第１のシンボルブロック及び第２のシンボルブロックの放出の開始、それぞれ受信の開始である相対的な時間基準に対して理解されるものとする。したがって、送信機側における所与の期間及び受信機側における対応する期間は同一であるか、又は少なくとも類似である。受信機側におけるそのような期間は、第１のＳＣ−ＦＤＭＡシンボル及び／又は第２のＳＣ−ＦＤＭＡシンボル内のシンボルＸｎの位置ｎに依存する第１のＳＣ−ＦＤＭＡシンボル及び／又は第２のＳＣ−ＦＤＭＡシンボル内の位置にあるサンプルの受信に対応する期間という。
【０１０６】
抽出されるサンプルは、位置ｎｉ及び位置Ｍ／２＋Ｐ１＋ｍｏｄ（−ｎｉ＋Ｐ１＋ｐ−１，Ｑ）に依存する第１のＳＣ−ＦＤＭＡシンボル内の位置と、同じく位置ｎｉ及び位置Ｍ／２＋Ｐ１＋ｍｏｄ（−ｎｉ＋Ｐ１＋ｐ−１，Ｑ）に依存する第２のＳＣ−ＦＤＭＡシンボル内の位置とにある受信サンプル、すなわち、
【数２３３】
2021506162.tif 000235
である対応するシンボル
【数２３４】
2021506162.tif 000236
、
【数２３５】
2021506162.tif 000237
の受信サンプル、又は、対応するプリコーディング後のシンボル
【数２３６】
2021506162.tif 000238
、
【数２３７】
2021506162.tif 000239
、
【数２３８】
2021506162.tif 000240
及び
【数２３９】
2021506162.tif 000241
の受信サンプルである。これらのサンプルは、受信機の各アンテナにおいて受信される。
【０１０７】
したがって、抽出される受信無線信号の部分は、第１のＳＣ−ＦＤＭＡシンボル及び／又は第２のＳＣ−ＦＤＭＡシンボル内のシンボル
【数２４０】
2021506162.tif 000242
及び
【数２４１】
2021506162.tif 000243
の位置ｎｉ及び位置Ｍ／２＋Ｐ１＋ｍｏｄ（−ｎｉ＋Ｐ１＋ｐ−１，Ｑ）に依存する第１のＳＣ−ＦＤＭＡシンボル及び／又は第２のＳＣ−ＦＤＭＡシンボル内の位置にあるサンプルの受信に対応する（受信機側における）期間の少なくとも一部を含む時間領域窓にある。
【０１０８】
これらの期間の決定は受信機において一般に行われるので、これらの期間は、シンボルブロックの受信の開始に対して相対的に決定される。したがって、無線信号が抽出される期間は、位置ｎｉ及び／又はＭ／２＋Ｐ１＋ｍｏｄ（−ｎｉ＋Ｐ１＋ｐ−１，Ｑ）に依存する第１のＳＣ−ＦＤＭＡシンボル及び／又は第２のＳＣ−ＦＤＭＡシンボル内の位置にあるサンプルの受信に対応する期間と同一又は少なくとも同様である。したがって、これらの期間は区別されず、期間、対応する期間、又は位置ｎｉ及び／又はＭ／２＋Ｐ１＋ｍｏｄ（−ｎｉ＋Ｐ１＋ｐ−１，Ｑ）に依存する期間として分け隔てなく呼ばれる。
【０１０９】
抽出後に、参照信号の受信サンプルは処理される。その処理は、非参照信号の受信サンプルから独立して行うことができる。参照信号の受信サンプルに適用される処理方式は、受信機によって既知である値及び位置を有する参照信号が送信機から送信されるときに、種々のパラメータを推定できるようにする従来のアルゴリズムに基づく。
【０１１０】
処理されると、受信機は、無線信号に影響を及ぼすチャネル摂動を評価することができる。例えば、受信機は位相推定値を推測することができ、それにより、チャネル推定値を改善できるようになるか、又はチャネル推定値を直接推測できるようになる場合がある。チャネル推定に従って、送信機と受信機との間のチャネル内の信号の破損（位相シフト、増幅．．．）を補償するように復号モジュールを設定することができる。
【０１１１】
本発明の第５の態様は、無線通信システムを介して受信される無線信号内の第１の参照信号、第２の参照信号、第３の参照信号及び第４の参照信号のＫ個のクワドラプレットを抽出するデバイスであって、上記無線信号は、少なくとも２つの送信アンテナを備える放出器によって放出され、各アンテナは、１つよりも厳密に大きな少なくとも偶数Ｍ個の異なる周波数上で送信するように構成され、Ｋは、厳密にＭ／２以下の正の整数であり、無線信号の放出は、
【数２４２】
2021506162.tif 000244
であり、Ｐ１及びＰ２は、Ｐ１＋Ｐ２がＭ／２よりも厳密に小さくなるような既定の正の整数又は０に等しい整数であり、ｐは既定の整数であり、εは１又は−１であり、Ｘｋ＊はＸｋの複素共役であるとして、Ｍ個のシンボルからなる第１のシンボルブロックＸ＝（Ｘ０，．．．ＸＭ−１）にプリコーダを適用して、Ｍ個のシンボルからなる第２のシンボルブロックＹ＝（Ｙ０，．．．ＹＭ−１）を取得することと、
Ｍ個のシンボルからなる第１のシンボルブロックに、少なくとも、第１の送信アンテナに対応するＭサイズＤＦＴを適用し、次に、ＮサイズＩＤＦＴを適用して、所与の持続時間を有する、Ｍ個のシンボルからなる第１のシンボルブロックを表す第１の単一キャリア周波数分割多元接続（ＳＣ−ＦＤＭＡ）シンボルを取得することと、
Ｍ個のシンボルからなる第２のシンボルブロックに、少なくとも、第２の送信アンテナに対応するＭサイズＤＦＴを適用し、次に、ＮサイズＩＤＦＴを適用して、所与の持続時間を有する、Ｍ個のシンボルからなる第２のシンボルブロックを表す第２の単一キャリア周波数分割多元接続（ＳＣ−ＦＤＭＡ）シンボルを取得することと、
所与の持続時間の時間間隔の間に、第１のＳＣ−ＦＤＭＡシンボル及び第２のＳＣ−ＦＤＭＡシンボルをそれぞれ第１の送信アンテナ及び第２の送信アンテナ上で無線信号にして同時に送信することと、
によって処理され、
上記第１の参照信号、第２の参照信号、第３の参照信号及び第４の参照信号は、
【数２４３】
2021506162.tif 000245
であるような整数のｍｉｎ（Ｍ／２−Ｐ１−Ｐ２；Ｋ）以下の数Ｌを求めることと、
Ｋ個のクワドラプレットの中の第１の参照信号、第２の参照信号、第３の参照信号及び第４の参照信号のＬ個のクワドラプレットの中からの第ｉのクワドラプレットごとに、
第１の参照信号のサンプルが、Ｍ個のシンボルからなる第１のシンボルブロック内のシンボル
【数２４４】
2021506162.tif 000246
の位置ｎｉに依存した第１のＳＣ−ＦＤＭＡシンボル内の位置にあるような第１の参照信号を挿入することと、
第２の参照信号のサンプルが、Ｍ個のシンボルからなる第１のシンボルブロック内のシンボル
【数２４５】
2021506162.tif 000247
の位置Ｍ／２＋Ｐ１＋ｍｏｄ（−ｎｉ＋Ｐ１＋ｐ−１，Ｑ）に依存した第１のＳＣ−ＦＤＭＡシンボル内の位置にあるような第２の参照信号を挿入することと、
第３の参照信号のサンプルが、Ｍ個のシンボルからなる第１のシンボルブロック内のシンボル
【数２４６】
2021506162.tif 000248
の位置ｎｉに依存した第２のＳＣ−ＦＤＭＡシンボル内の位置にあるような第３の参照信号を挿入することと、
第４の参照信号のサンプルが、Ｍ個のシンボルからなる第１のシンボルブロック内のシンボル
【数２４７】
2021506162.tif 000249
の位置Ｍ／２＋Ｐ１＋ｍｏｄ（−ｎｉ＋Ｐ１＋ｐ−１，Ｑ）に依存した第２のＳＣ−ＦＤＭＡシンボル内の位置にあるような第４の参照信号を挿入することと、
によって無線信号に挿入され、
上記デバイスは、
プロセッサと、
命令が記憶された非一時的コンピュータ可読媒体と、
を備え、
命令は、プロセッサによって実行されると、第１の参照信号、第２の参照信号、第３の参照信号及び第４の参照信号の少なくとも１つのクワドラプレットｉについて、
受信された無線信号に対してＮサイズＤＦＴモジュールを適用する前に、無線信号の部分であって、各部分は、所与の時間間隔に厳密に含まれる時間窓の中の１つの時間窓において受信される、部分を抽出することと、
上記抽出された部分を受信された無線信号の他の部分から独立して処理することと、
を行うように上記デバイスを構成する、デバイスに関する。
【０１１２】
本発明は、添付図面の図に、限定としてではなく例として示される。添付図面において、同様の参照符号は同様の要素を参照する。
【図面の簡単な説明】
【０１１３】
【図１】ＳＳ−ＳＴＢＣタイプ送信機及びＳＳ−ＳＴＢＣタイプ受信機を示す図である。
【図２．１】従来のＳＳ−ＳＴＢＣ送信機の概略ブロック図である。
【図２．２】ＳＳ−ＳＴＢＣプリコーダの論理機能の詳細図である。
【図３】従来のＳＳ−ＳＴＢＣ受信機の概略ブロック図である。
【図４．１】本発明によるＲＳのＤＦＴ前挿入の概略ブロック図である。
【図４．２】本発明によるＲＳのプリコーダ後挿入の概略ブロック図である。
【図４．３】本発明によるＲＳのＩＤＦＴ後挿入の概略ブロック図である。
【図５】本発明によるＲＳ抽出及びデータ復号化の概略ブロック図である。
【図６．１】本発明による、無線信号内に参照信号をＤＦＴ前挿入するステップを表すフローチャートである。
【図６．２】本発明による、無線信号内への参照信号のプリコーディング後挿入のステップを表すフローチャートである。
【図６．３】本発明による、無線信号内に参照信号をＩＤＦＴ後挿入するステップを表すフローチャートである。
【図７】本発明による、無線信号内の参照信号を抽出するステップを表すフローチャートである。
【発明を実施するための形態】
【０１１４】
図１を参照すると、受信機１．２に無線信号を送信する送信機１．１が示される。送信機１．１は受信機１．２のセル内にある。この送信は、ＯＦＤＭに基づくシステムの状況におけるＳＳ−ＳＴＢＣに基づく送信とすることができる。この例において、送信機１．１はモバイル端末であり、受信機１．２は固定局であり、ＬＴＥの状況では基地局である。送信機１．１は固定局とすることもでき、受信機１．２はモバイル端末とすることもできる。
【０１１５】
送信機１．１は、１つの通信モジュール（ＣＯＭ＿ｔｒａｎｓ）１．３、１つの処理モジュール（ＰＲＯＣ＿ｔｒａｎｓ）１．４及びメモリユニット（ＭＥＭＯ＿ｔｒａｎｓ）１．５を備える。ＭＥＭＯ＿ｔｒａｎｓ１．５は、コンピュータプログラムを引き出す不揮発性ユニットと、参照信号パラメータを引き出す揮発性ユニットとを備える。ＰＲＯＣ＿ｔｒａｎｓ１．４は、本発明に従って参照信号を挿入するように構成される。ＣＯＭ＿ｔｒａｎｓは、受信機１．２に無線信号を送信するように構成される。処理モジュール１．４及びメモリユニット１．５は、上記で説明されたように、参照信号を挿入するデバイスを構成することができる。処理モジュール１．４及びメモリユニット１．５は、このデバイス専用とすることができるか、又は無線信号を処理する機能等の、送信機の他の機能のために使用することもできる。
【０１１６】
受信機１．２は、１つの通信モジュール（ＣＯＭ＿ｒｅｃｅｉ）１．６、１つの処理モジュール（ＰＲＯＣ＿ｒｅｃｅｉ）１．７及びメモリユニット（ＭＥＭＯ＿ｒｅｃｅｉ）１．８を備える。ＭＥＭＯ＿ｒｅｃｅｉ１．８は、コンピュータプログラムを引き出す不揮発性ユニットと、参照信号パラメータを引き出す揮発性ユニットとを備える。ＰＲＯＣ＿ｒｅｃｅｉ１．７は、無線信号から参照信号を抽出するように構成される。ＣＯＭ＿ｒｅｃｅｉ１．６は送信機から無線信号を受信するように構成される。処理モジュール１．７及びメモリユニット１．８は、上記で説明されたように、参照信号を抽出するデバイスを構成することができる。処理モジュール１．７及びメモリユニット１．８はこのデバイス専用とすることができるか、又は無線信号上で受信方式を処理する機能等の、受信機の他の機能のために使用することもできる。
【０１１７】
図２．１を参照すると、従来のＳＳ−ＳＴＢＣ送信機のシンボルブロック図が示されている。そのようなＳＳ−ＳＴＢＣ送信機は、シンボルブロック（第１のシンボルブロック）及びプリコーディングされたシンボルブロック（第２のシンボルブロック）に対してＳＣ−ＦＤＭＡ方式を適用して無線信号を得る。これによって、チャネル使用あたり１シンボルのレートのフルダイバーシティが確保される。ＳＳ−ＳＴＢＣ送信機は、少なくとも２つの送信アンテナＴｘ１  ２．０及びＴｘ２  ２．１上での放出によって無線信号を放出する
【０１１８】
無線信号は、ＳＳ−ＳＴＢＣプリコーダ２．２を第１のシンボルブロックＸ＝（Ｘ０，．．．ＸＭ−１）に適用して第２のシンボルブロックＹ＝（Ｙ０，．．．ＹＭ−１）を取得することによって与えられる。第１のシンボルブロックは、ＱＰＳＫデジタル変調方式又はＱＡＭのような他の任意のデジタル変調方式によって得ることができる。Ｍは、割り当てられたサブキャリアの数である。そのようなＳＳ−ＳＴＢＣ方式では、Ｍは偶数である。
【０１１９】
その後、ＭサイズＤＦＴ２．３、２．４（離散フーリエ変換）が、各シンボルブロックＸ及びＹに適用される。各シンボルブロックについて、Ｍ個の複素シンボルが周波数領域において取得される。これらの複素シンボルは、それぞれ
【数２４８】
2021506162.tif 000250
及び
【数２４９】
2021506162.tif 000251
である。すなわち、各ＭサイズＤＦＴ２．３、２．４について、Ｍ個の割り当てられたサブキャリアの中の第ｋサブキャリアごとに１つの複素シンボルが取得される。これらの複素シンボルは、周波数領域においてサブキャリアマッピングモジュール２．５及び２．６を用いて、ＮサイズＩＤＦＴモジュール２．７、２．８のＮ個の入力の中からのＭ個にマッピングされる。サブキャリアマッピングに関して、各複素シンボルベクトル
【数２５０】
2021506162.tif 000252
及び
【数２５１】
2021506162.tif 000253
は、サブキャリアマッピングモジュール２．５及び２．６を介してＮ個の存在するサブキャリアのうちのＭ個の割り当てられたサブキャリアにマッピングされる。このサブキャリアマッピングは、例えば、局在化させることができる。すなわち、各ベクトルＳＴｘ１，２のＭ個の要素は、Ｎ個の存在するサブキャリアの中からのＭ個の連続したサブキャリアにマッピングされる。このサブキャリアマッピングは、例えば、分散させることもできる。すなわち、ＳＴｘ１，２のＭ個の要素は、帯域幅全体にわたって等距離にマッピングされ、使用されないサブキャリアは０で埋められる。
【０１２０】
その後、サブキャリアマッピングモジュール２．５及び２．６の結果として得られた２つのベクトル
【数２５２】
2021506162.tif 000254
及び
【数２５３】
2021506162.tif 000255
にサイズＮの逆ＤＦＴ２．７及び２．８が適用され、その結果、２つのＳＣ−ＦＤＭＡシンボルが生成される。それらのシンボルのそれぞれは、２つの送信アンテナのそれぞれ１つから同時に送信される。より正確には、ＩＤＦＴモジュール２．７、２．８の出力において、信号
【数２５４】
2021506162.tif 000256
及び信号
【数２５５】
2021506162.tif 000257
が取得される。これらの信号のそれぞれは、単一キャリア周波数分割多元接続ＳＣ−ＦＤＭＡのシンボルに対応する時間間隔の間、Ｎ個の存在するサブキャリアの中からのＭ個の割り当てられたサブキャリアを占有する。信号
【数２５６】
2021506162.tif 000258
及び
【数２５７】
2021506162.tif 000259
は、所与の時間間隔の間の周波数領域表現がそれぞれ、ｋ＝０〜Ｍ−１である第ｋの占有サブキャリアごとの複素シンボルＳｋＴｘ及びＳｋＴｘ２である時間領域信号である。同様に、所与の時間間隔の間の時間領域信号
【数２５８】
2021506162.tif 000260
及び
【数２５９】
2021506162.tif 000261
はそれぞれ、周波数領域において、ｋ＝０〜Ｍ−１である第ｋの周波数ごとの複素シンボルＳｋＴｘ１及びＳｋＴｘ２を表す。これらの時間領域信号
【数２６０】
2021506162.tif 000262
及び
【数２６１】
2021506162.tif 000263
はそれぞれ、ＳＣ−ＦＤＭＡシンボルに対応する。したがって、信号
【数２６２】
2021506162.tif 000264
又は信号
【数２６３】
2021506162.tif 000265
におけるサンプルはそれぞれ、第１の送信アンテナ２．０に対応するＳＣ−ＦＤＭＡシンボルにおけるサンプルと、第２の送信アンテナ２．１に対応するＳＣ−ＦＤＭＡシンボルにおけるサンプルとを指す。
【０１２１】
ＩＤＦＴの後、任意選択でサイクリックプレフィックスを付加することができる。
【０１２２】
図２．２を参照すると、ＳＳ−ＳＴＢＣプリコーダモジュール２．２の論理機能が詳細に示されている。
【０１２３】
シンボルブロックＸ＝（Ｘ０，．．．ＸＭ−１）（第１のシンボルブロックとも呼ばれる）に適用されたＳＳ−ＳＴＢＣプリコーダ２．２は、シンボルブロックＹ＝（Ｙ０，．．．ＹＭ−１）（第２のシンボルブロックとも呼ばれる）を出力する。第１のシンボルブロックＸ＝（Ｘ０，．．．ＸＭ−１）を検討すると、これは、図２．２に示すように、Ｍ／２個のシンボルからなる２つの部分に分割される。第１の部分及び第２の部分はそれぞれ、Ｑ個の連続した変調シンボル
【数２６４】
2021506162.tif 000266
及びＱ個の連続した変調シンボル
【数２６５】
2021506162.tif 000267
を含む。これらの第１の部分及び第２の部分のＱ個の連続した変調シンボルは、データ及び参照信号を含む。
【０１２４】
ブロックシンボルのこれらの２つの部分の間の干渉を制限するために、第１の部分は、Ｑ個の連続した変調シンボル
【数２６６】
2021506162.tif 000268
の前及び後にそれぞれ位置決めされたＰ１個の連続したシンボルからなるサイクリックプレフィックス、及び／又は、Ｐ２個の連続したシンボルからなるサイクリックポストフィックスを含むことができる。第２の部分も、Ｑ個の連続した変調シンボル
【数２６７】
2021506162.tif 000269
の前及び後にそれぞれ位置決めされたＰ１個の連続したシンボルからなるサイクリックプレフィックス及び／又はＰ２個の連続したシンボルからなるサイクリックポストフィックスを含むことができる。Ｐ１及び／又はＰ２の値は、０に設定することもでき、その場合に、プレフィックス及び／又はポストフィックスは含まれない。
【０１２５】
したがって、第１のシンボルブロックＸ＝（Ｘ０，．．．ＸＭ−１）は、第１の部分のサイクリックプレフィックスについては、
【数２６８】
2021506162.tif 000270
と定義することができ、第１の部分のデータ／ＲＳシンボルについては、
【数２６９】
2021506162.tif 000271
と定義することができ、第１の部分のサイクリックポストフィックスについては、
【数２７０】
2021506162.tif 000272
と定義することができ、第２の部分のサイクリックプレフィックスについては、
【数２７１】
2021506162.tif 000273
と定義することができ、第２の部分のデータ／ＲＳシンボルについては、
【数２７２】
2021506162.tif 000274
と定義することができ、第２の部分のサイクリックポストフィックスについては、
【数２７３】
2021506162.tif 000275
と定義することができる。
【０１２６】
ＳＳ−ＳＴＢＣプリコーダを第１のシンボルブロックＸ＝（Ｘ０，．．．ＸＭ−１）に適用すると、第２のシンボルブロックＹ＝（Ｙ０，．．．ＹＭ−１）が取得される。この第２のシンボルブロックは、事前に定義された第１のシンボルブロックに対して相対的に定義することができ、第１の部分のサイクリックプレフィックスについては、
【数２７４】
2021506162.tif 000276
と定義することができ、第１の部分のデータ／ＲＳシンボルについては、
【数２７５】
2021506162.tif 000277
と定義することができ、第１の部分のサイクリックポストフィックスについては、
【数２７６】
2021506162.tif 000278
と定義することができ、第２の部分のサイクリックプレフィックスについては、
【数２７７】
2021506162.tif 000279
と定義することができ、第２の部分のデータ／ＲＳシンボルについては、
【数２７８】
2021506162.tif 000280
と定義することができ、第２の部分のサイクリックポストフィックスについては、
【数２７９】
2021506162.tif 000281
と定義することができる。
ただし、
【数２８０】
2021506162.tif 000282
であり、
【数２８１】
2021506162.tif 000283
であり、Ｘ＊はＸの複素共役である。
【０１２７】
したがって、Ｙは、ペイロードデータ及び参照信号シンボルに関して、Ｘに基づいて、以下の式によって定義することができる。
【数２８２】
2021506162.tif 000284
ただし、εは値１又は−１である。別段の指定がない限り、以下では、ε＝１とみなす。実際に、第２のアンテナに関係した信号の正負符号（＋／−）の変化は、本方法を変えることはない。
【０１２８】
本発明の場合に、プリコーダは、以下の式によって定義される変更されたＳＳ−ＳＴＢＣプリコーダである。
【数２８３】
2021506162.tif 000285
【０１２９】
すなわち、ＳＳ−ＳＴＢＣの変更されたプリコーダを第１のシンボルブロックＸ＝（Ｘ０，．．．ＸＭ−１）に適用すると、第２のシンボルブロックＹ＝（Ｙ０，．．．ＹＭ−１）を、第１のシンボルブロックに対して相対的に定義することができ、第１の部分のサイクリックプレフィックスについては、
【数２８４】
2021506162.tif 000286
と定義することができ、第１の部分のデータ／ＲＳシンボルについては、
【数２８５】
2021506162.tif 000287
と定義することができ、第１の部分のサイクリックポストフィックスについては、
【数２８６】
2021506162.tif 000288
と定義することができ、第２の部分のサイクリックプレフィックスについては、
【数２８７】
2021506162.tif 000289
と定義することができ、第２の部分のデータ／ＲＳシンボルについては、
【数２８８】
2021506162.tif 000290
と定義することができ、第２の部分のサイクリックポストフィックスについては、
【数２８９】
2021506162.tif 000291
と定義することができる。
【０１３０】
ただし、
【数２９０】
2021506162.tif 000292
及び
【数２９１】
2021506162.tif 000293
である。
【０１３１】
そのような変更されたＳＳ−ＳＴＢＣプリコーダによって、適用される方式においてより大きな柔軟性を有することが可能になる。
【０１３２】
図３を参照すると、従来のＳＳ−ＳＴＢＣ受信機のシンボルブロック図が示されている。そのような受信機は、ＳＳ−ＳＴＢＣ送信機によって放出された無線信号を復号化するように構成されている。この例は、２つの受信アンテナを示しているが、受信機は、１つのアンテナのみ（ＭＩＳＯ）又は幾つかのアンテナ（ＭＩＭＯ）を有することができる。この例では、上記無線信号は、２つのアンテナＲｘ１  ３．１及びＲｘ２  ３．２において受信される。各アンテナによって受信された無線信号は異なり、２つのアンテナの相互間の間隔が大きいほど、各アンテナにおいて受信される無線信号が異なる可能性は大きくなり、これによって、受信ダイバーシティがもたらされる。任意選択のガード除去の後、結果として得られた信号
【数２９２】
2021506162.tif 000294
及び
【数２９３】
2021506162.tif 000295
は、２つのＮサイズＤＦＴ（３．３及び３．４）に入力され、その後、サブキャリアデマッピングモジュール（３．５及び３．６）に入力される。サブキャリアデマッピングモジュールの一方はＲｘ１  ３．１に関連したものであり、他方はＲｘ２  ３．２に関連したものである。
【０１３３】
周波数領域における結果は２つのベクトルＴＲｘ１及びＴＲｘ２である。ＴＲｘ１及びＴＲｘ２をＳＳ−ＳＴＢＣ復号化器３．７に入力する前に、ＳＳ−ＳＴＢＣ復号化器３．７をチャネル推定（チャネル推定モジュール３．８によって行われる）に基づいて調整することができる。このチャネル推定は、例えば、受信されたＤＭＲＳ（復調参照信号：demodulation reference signal）に基づいて計算される。その後、ＴＲｘ１及びＴＲｘ２は、ＳＳ−ＳＴＢＣ復号化器３．７に入力される。この復号化器は、時間領域におけるＭ個のシンボル（Ｚ０，．．．ＺＭ−１）からなるブロックＺを出力する。付加的な変更をＳＳ−ＳＴＢＣ復号化器３．７の出力において行い、シンボルブロックＺを取得することができる。例えば、コンスタレーションデマッピング及び誤り訂正によって、Ｘの原点におけるデジタルデータの推定が可能になる。
【０１３４】
参照信号がＤＦＴ前にランダムな位置に挿入され、ＤＦＴ入力におけるデータ変調シンボルを乗算される場合、ＳＳ−ＳＴＢＣ復号化器３．７の出力においてシンボルブロックＺを最初に取得する前に、受信された参照信号のサンプルを受信信号から抽出して処理することができない。したがって、ＳＳ−ＳＴＢＣ復号化器３．７は、参照信号によって伝達される情報を考慮することなくＴＲｘ１及びＴＲｘ２を復号化することになる。これは、ＳＳ−ＳＴＢＣ復号化器３．７の著しい性能劣化をもたらす可能性がある。
【０１３５】
図４．１を参照すると、本発明による参照信号のＤＦＴ前挿入のシンボルブロック図が示されている。送信機に関して、適用される方式は、図２．１及び図２．２において説明した、変更されたＳＳ−ＳＴＢＣ方式である。
【０１３６】
したがって、変更されたＳＳ−ＳＴＢＣプリコーダ４．２（以下、単にＳＳ−ＳＴＢＣプリコーダという）、ＭサイズＤＦＴ４．３及び４．４、サブキャリアマッピングモジュール４．５及び４．６、並びにＮサイズＩＤＦＴモジュール４．７及び４．８が、シンボルブロックＸ＝（Ｘ０，．．．ＸＭ−１）に連続的に適用されて、Ｔｘ１  ４．０及びＴｘ２  ４．１によって放出された無線信号が取得される。
【０１３７】
この実施形態では、参照信号は、ＤＦＴ前に、すなわち、参照信号となるように選ばれたシンボルＸｎの値を設定することによって挿入される。したがって、ＫをＭ／２以下の正の整数とすると（シンボルブロックＸが参照信号のフルブロックになるのを回避するために、ＫをＭ／２よりも厳密に小さく設定することもできる）、４Ｋ個の参照信号を挿入するとき、Ｌ個の整数ｎｉは、以下のように求められる。
【数２９４】
2021506162.tif 000296
【０１３８】
次に、参照信号（ＲＳ）は、シンボルブロックＸの位置ｎｉ及びＭ／２＋Ｐ１＋ｍｏｄ（−ｎｉ＋Ｐ１＋ｐ−１，Ｑ）に直接挿入される。ＲＳ挿入モジュール４．９は、
【数２９５】
2021506162.tif 000297
である位置ｎｉ又はｎｉ＋Ｍ／２＋Ｐ１＋ｍｏｄ（−ｎｉ＋Ｐ１＋ｐ−１，Ｑ）にあるシンボルＸｎの各値を参照信号の値に設定することによって参照信号を挿入する。ＲＳ挿入モジュール４．９は、
【数２９６】
2021506162.tif 000298
である位置ｎｉ又はＭ／２＋Ｐ１＋ｍｏｄ（−ｎｉ＋Ｐ１＋ｐ−１，Ｑ）を事前に構成することによって静的な方法で構成することができる。幾つかの構成を事前にプログラミングすることもでき、例えば、数Ｋごとに１つの構成を事前にプログラミングすることもできるし、数Ｋごとに限られた数の構成を事前にプログラミングすることもできる。Ｋ及び（
ｎｉ）の厳密な値は、固定することもできるし、構成可能とすることもできる。構成は、暗黙的に（送信機によって既知である他のパラメータに基づいて）行うこともできるし、明示的に（受信機が、送信機に例えば制御チャネルを介して返信している命令に基づいて）行うこともできるし、これらの２つを組み合わせて行うこともできる。データ変調器モジュール４．１０は、シンボルブロックにおける参照信号の
【数２９７】
2021506162.tif 000299
である位置ｎｉ又はＭ／２＋Ｐ１＋ｍｏｄ（−ｎｉ＋Ｐ１＋ｐ−１，Ｑ）と競合しない位置に変調シンボルを挿入するように構成することができる。ＲＳ挿入モジュール４．９は、選ばれた構成をデータ変調器モジュール４．１０に通知することができる。図２において説明した実施態様に関して、２Ｑ個のシンボルのみが用いられ、２つのサイクリックプレフィックス部分及び２つのサイクリックサフィックス部分におけるシンボルは、用いられるシンボルに基づいて定義される。したがって、Ｌ個のシンボル対のみがここで定義され、残りのＫ−Ｌ個の対はＬ個の対によって定義される。したがって、Ｌはｍｉｎ（Ｍ／２−Ｐ１−Ｐ２；Ｋ）以下である（シンボルブロックＸが参照信号のフルブロックになるのを回避するために、Ｋをｍｉｎ（Ｍ／２−Ｐ１−Ｐ２−１；Ｋ）以下に設定することもできる）。
【０１３９】
有利な場合としては、位置
【数２９８】
2021506162.tif 000300
を選択することができる。例えば、ＲＳ挿入モジュール４．９は、位置ｎｉが連続するように、すなわち、ｎＬ−ｎ１＝Ｌ−１であるように構成することができる。ＲＳを連続した位置にグループ分けすることによって、無線信号内の他のシンボルからのＲＳによって遭遇する干渉を低減できるようになる。
【０１４０】
別の例では、ＲＳの位置
【数２９９】
2021506162.tif 000301
を連続した位置のグループに分割することができる。すなわち、例えば、連続した位置
【数３００】
2021506162.tif 000302
、    
【数３０１】
2021506162.tif 000303
及び
【数３０２】
2021506162.tif 000304
のＲＳの３つのグループに分割される。ただし、
【数３０３】
2021506162.tif 000305
、    
【数３０４】
2021506162.tif 000306
及び
【数３０５】
2021506162.tif 000307
である。シンボルブロックＸ内の他のシンボルによって分離される幾つかのグループを有することによって、高速の位相変動をシンボルブロックの持続時間より短いレベルにおいて追跡できるようになる。
【０１４１】
【数３０６】
2021506162.tif 000308
であるシンボル
【数３０７】
2021506162.tif 000309
及び
【数３０８】
2021506162.tif 000310
の値に関して、すなわち、
【数３０９】
2021506162.tif 000311
のｎｉ及びＭ／２＋Ｐ１＋ｍｏｄ（−ｎｉ＋Ｐ１＋ｐ−１，Ｑ）に位置決めされたＸのシンボル値に関して、それらの値は、ＣＡＺＡＣ系列の構成要素として設定することができる。より具体的には、
【数３１０】
2021506162.tif 000312
であるシンボル
【数３１１】
2021506162.tif 000313
の値は、第１のＣＡＺＡＣ系列の値から導出することができ、及び／又は、
【数３１２】
2021506162.tif 000314
であるシンボル
【数３１３】
2021506162.tif 000315
の値は、第２のＣＡＺＡＣ系列の値から導出することができる。
【数３１４】
2021506162.tif 000316
であるシンボル
【数３１５】
2021506162.tif 000317
が、第１のＣＡＺＡＣ系列と直交するＣＡＺＡＣ系列の構成要素となるように、第２のＣＡＺＡＣ系列を選択することが有利である。
【０１４２】
ＣＡＺＡＣ系列は、例えば、Ｚａｄｏｆｆ−Ｃｈｕ系列とすることができる。すなわち、例えば、
【数３１６】
2021506162.tif 000318
である
【数３１７】
2021506162.tif 000319
の値は、長さＬのＣＡＺＡＣ系列の値に設定することもできるし、Ｌよりも長い長さのＣＡＺＡＣ系列をトランケートすることによって取得することもできるし、Ｌよりも短い長さのＣＡＺＡＣ系列からサイクリック拡張によって取得することもできる。
【０１４３】
【数３１８】
2021506162.tif 000320
である
【数３１９】
2021506162.tif 000321
及び
【数３２０】
2021506162.tif 000322
の値を、最大絶対値モジュールが変調に用いられるデジタル変調方式の変調シンボルの最大絶対値以下であるように設定することが有利である。例えば、デジタル変調方式は、ＱＰＳＫ（４位相偏移変調：quadrature phase-shift keying）とすることもできるし、その値が全て１に等しいモジュールであり、この例では、
【数３２１】
2021506162.tif 000323
及び
【数３２２】
2021506162.tif 000324
の値が、１以下となるように選ばれる他のＰＳＫ（位相偏移変調：phase-shift keying）とすることもできる。
【０１４４】
図４．２には、本発明による参照信号のプリコーダ後挿入のシンボルブロック図が示されている。送信機に関して、適用される方式は、図２．１、図２．２において説明した、変更されたＳＳ−ＳＴＢＣ方式である。
【０１４５】
したがって、変更されたＳＳ−ＳＴＢＣプリコーダ４．２（以下、単にＳＳ−ＳＴＢＣプリコーダという）、ＭサイズＤＦＴ４．３及び４．４、サブキャリアマッピングモジュール４．５及び４．６、並びにＮサイズＩＤＦＴモジュール４．７及び４．８が、シンボルブロックＸ＝（Ｘ０，．．．ＸＭ−１）に連続的に適用されて、Ｔｘ１  ４．０及びＴｘ２  ４．１によって放出された無線信号が取得される。
【０１４６】
この実施形態では、参照信号は、プリコーダ後に、すなわち、参照信号となるように選ばれたシンボルＸｎ及びＹｎの値を設定することによって挿入される。このために、データ変調器モジュール４．１２は、
【数３２３】
2021506162.tif 000325
であるシンボル
【数３２４】
2021506162.tif 000326
及び
【数３２５】
2021506162.tif 000327
の値を０に設定するように構成される。データ変調器モジュール４．１２の構成は、データ変調器モジュール４．１２に位置構成を送信することができるＲＳ挿入モジュール４．１１によって行うことができる。この不完全なシンボルブロックＸＤＡＴＡに対して、ＳＳ−ＳＴＢＣプリコーダ４．２が適用され、シンボルブロックＹＤＡＴＡ＝（Ｙｎ）が取得される。次に、参照信号（ＲＳ）が、それらの２つのシンボルブロック、すなわち、第１のシンボルブロックＸＤＡＴＡ及び第２のシンボルブロックＹＤＡＴＡの位置ｎｉ及びＭ／２＋Ｐ１＋ｍｏｄ（−ｎｉ＋Ｐ１＋ｐ−１，Ｑ）に直接挿入される。参照信号のクワドラプレット
【数３２６】
2021506162.tif 000328
ごとに、ＲＳ挿入モジュール４．１１は、シンボル
【数３２７】
2021506162.tif 000329
、
【数３２８】
2021506162.tif 000330
、
【数３２９】
2021506162.tif 000331
及び
【数３３０】
2021506162.tif 000332
の値を、それぞれ第１の参照信号、第２の参照信号、第４の参照信号、及び第３の参照信号を表す値に設定することによって参照信号を挿入する。この構成では、参照信号の所与のクワドラプレットの各参照信号値は、独立して設定することができる。したがって、同じクワドラプレット内の各参照信号のサンプルの期間は、クワドラプレットの他の参照信号に依存する。
【０１４７】
ＲＳ挿入モジュール４．１１は、
【数３３１】
2021506162.tif 000333
である位置ｎｉ又はＭ／２＋Ｐ１＋ｍｏｄ（−ｎｉ＋Ｐ１＋ｐ−１，Ｑ）を事前に構成することによって静的な方法で構成することができる。幾つかの構成を事前にプログラミングすることもでき、例えば、数Ｋごとに１つの構成を事前にプログラミングすることもできるし、数Ｋごとに限られた数の構成を事前にプログラミングすることもできる。Ｋ及び（
ｎｉ）ｉの厳密な値は、固定することもできるし、構成可能とすることもできる。構成は、暗黙的に（送信機によって既知である他のパラメータに基づいて）行うこともできるし、明示的に（受信機が、送信機に例えば制御チャネルを介して返信している命令に基づいて）行うこともできる。データ変調器モジュール４．１２は、シンボルブロックにおける参照信号の
【数３３２】
2021506162.tif 000334
である位置ｎｉ又はＭ／２＋Ｐ１＋ｍｏｄ（−ｎｉ＋Ｐ１＋ｐ−１，Ｑ）と競合しない位置に変調シンボルを挿入するように構成することができる。ＲＳ挿入モジュール４．１１は、選ばれた構成をデータ変調器モジュール４．１２に通知することができる。図２．１において説明した実施態様に関して、２Ｑ個のシンボルのみが用いられ、２つのサイクリックプレフィックス部分及び２つのサイクリックサフィックス部分におけるシンボルは、用いられるシンボルに基づいて定義される。したがって、Ｌ個のシンボルクワドラプレットのみがここで定義され、残りのＫ−Ｌ個のクワドラプレットはＬ個のクワドラプレットによって定義される。したがって、Ｌはｍｉｎ（Ｍ／２−Ｐ１−Ｐ２；Ｋ）以下である（シンボルブロックＸが参照信号のフルブロックになるのを回避するために、Ｋをｍｉｎ（Ｍ／２−Ｐ１−Ｐ２−１；Ｋ）以下に設定することもできる）。
【０１４８】
参照信号が挿入されると、ＳＣ−ＦＤＭＡ方式が各シンボルブロック（第１のシンボルブロック及び第２のシンボルブロック）に対して適用され、第１のＳＣ−ＦＤＭＡシンボル及び第２のＳＣ−ＦＤＭＡシンボルが取得される。これらのＳＣ−ＦＤＭＡシンボルは、放出される無線信号を通じて送信される。
【０１４９】
参照信号がプリコーダ後に挿入される図４．２の実施形態では、取得される第１のＳＣ−ＦＤＭＡシンボル及び第２のＳＣ−ＦＤＭＡシンボルは、ＤＦＴ前挿入において参照信号を挿入したときに取得されるものと同じ又は同等である。したがって、ＤＦＴ前挿入に関して図示された全ての特徴は、プリコーダ後挿入にも適用することができる。
【０１５０】
例えば、ＤＦＴ前挿入において有利に選ばれる位置は、それらの位置にあるシンボルを０に設定し、次に、それらの位置に参照信号をプリコーダ後に挿入することによって、適用することができる。
【０１５１】
【数３３３】
2021506162.tif 000335
であるシンボル
【数３３４】
2021506162.tif 000336
及び
【数３３５】
2021506162.tif 000337
の値を設定する実施形態では、
【数３３６】
2021506162.tif 000338
であるシンボル
【数３３７】
2021506162.tif 000339
及び
【数３３８】
2021506162.tif 000340
の値を、ＤＦＴ前に設定されていたならばシンボル
【数３３９】
2021506162.tif 000341
及び
【数３４０】
2021506162.tif 000342
について設定されていたであろう値に設定するとともに、シンボル
【数３４１】
2021506162.tif 000343
及び
【数３４２】
2021506162.tif 000344
の値を、ＳＳ−ＳＴＢＣによって操作される変換に従った値に設定することによって、これらの実施形態をプリコーダ後挿入の場合に適用することができる。
【０１５２】
加えて、第３の参照信号及び第４の参照信号の第２のシンボルブロック内の値が、第１の参照信号及び第２の参照信号の第１のシンボルブロック内の値から独立して選ばれる場合であっても、これらの実施形態を依然として適用することができる。実際には、それらの位置は、２つの実施形態の間で同一である。したがって、上記の特定の位置は、この実施形態において複製することができる。
【０１５３】
【数３４３】
2021506162.tif 000345
であるシンボル
【数３４４】
2021506162.tif 000346
、
【数３４５】
2021506162.tif 000347
、
【数３４６】
2021506162.tif 000348
及び
【数３４７】
2021506162.tif 000349
の値に関して、これらの値は、ＣＡＺＡＣ系列の構成要素として設定することができる。同じクワドラプレット内の参照信号の各値は、異なるＣＡＺＡＣ系列から導出することもできるし、同じＣＡＺＡＣ系列から導出することもできる。ＣＡＺＡＣ系列は、例えば、Ｚａｄｏｆｆ−Ｃｈｕ系列とすることができる。
【０１５４】
シンボル
【数３４８】
2021506162.tif 000350
、
【数３４９】
2021506162.tif 000351
、
【数３５０】
2021506162.tif 000352
及び
【数３５１】
2021506162.tif 000353
の値は、それぞれ
【数３５２】
2021506162.tif 000354
及び
【数３５３】
2021506162.tif 000355
、
【数３５４】
2021506162.tif 000356
及び
【数３５５】
2021506162.tif 000357
の値に等しくなるように設定することもできる。加えて、これらの値は、
【数３５６】
2021506162.tif 000358
及び
【数３５７】
2021506162.tif 000359
の値に等しくなるように設定することも可能である。
【０１５５】
【数３５８】
2021506162.tif 000360
である
【数３５９】
2021506162.tif 000361
、
【数３６０】
2021506162.tif 000362
、
【数３６１】
2021506162.tif 000363
及び
【数３６２】
2021506162.tif 000364
の値を、最大絶対値モジュールが変調に用いられるデジタル変調方式の変調シンボルの最大絶対値以下であるように設定することが有利である。例えば、デジタル変調方式は、ＱＰＳＫ（４位相偏移変調）とすることもできるし、その値が全て１に等しいモジュールであり、この例では、
【数３６３】
2021506162.tif 000365
、
【数３６４】
2021506162.tif 000366
、
【数３６５】
2021506162.tif 000367
及び
【数３６６】
2021506162.tif 000368
の値が、１以下となるように選ばれる他のＰＳＫ（位相偏移変調）とすることもできる。
【０１５６】
図４．３を参照すると、本発明による参照信号のＩＤＦＴ後挿入のシンボルブロック図が示されている。この実施形態では、参照信号は、ＤＦＴ前に挿入されない（すなわち、
【数３６７】
2021506162.tif 000369
であるシンボル
【数３６８】
2021506162.tif 000370
及び
【数３６９】
2021506162.tif 000371
の値を図４．１に示すような受信機によって既知である非零の値に設定することによる）。参照信号の挿入はＩＤＦＴ後に行われる。このために、データ変調器モジュール４．１４は、変更されたＳＳ−ＳＴＢＣプリコーダ４．２を適用する前に、
【数３７０】
2021506162.tif 000372
であるシンボル
【数３７１】
2021506162.tif 000373
及び
【数３７２】
2021506162.tif 000374
の値を０に設定するように構成される。データ変調器モジュール４．１４のこの構成は、データ変調器モジュール４．１４に位置構成を送信することができるＲＳ挿入モジュール４．１３によって行うことができる。この不完全なシンボルブロックＸＤＡＴＡに対して、図４．１の実施形態におけるＳＳ−ＳＴＢＣ方式が、ＳＳ−ＳＴＢＣプリコーダ４．２、ＭサイズＤＦＴ４．３及び４．４から開始して適用される。それぞれのＩＤＦＴ出力において、後続の信号が得られる。すなわち、アンテナＴｘ１に対応するＩＤＦＴモジュール４．７の出力において
【数３７３】
2021506162.tif 000375
が得られ、アンテナＴｘ２に対応するＩＤＦＴモジュール４．８の出力において
【数３７４】
2021506162.tif 000376
が得られる。ＲＳ挿入モジュール４．１３は、それぞれアンテナＴｘ１に対応する
【数３７５】
2021506162.tif 000377
及びアンテナＴｘ２に対応する
【数３７６】
2021506162.tif 000378
であるＩＤＦＴモジュール（４．７及び４．８）の出力信号のそれぞれに対して、信号
【数３７７】
2021506162.tif 000379
及び信号
【数３７８】
2021506162.tif 000380
をそれぞれ加える。信号
【数３７９】
2021506162.tif 000381
及び
【数３８０】
2021506162.tif 000382
は、
【数３８１】
2021506162.tif 000383
である対応するシンボル
【数３８２】
2021506162.tif 000384
、
【数３８３】
2021506162.tif 000385
、
【数３８４】
2021506162.tif 000386
及び
【数３８５】
2021506162.tif 000387
の事前に計算されたサンプルである。すなわち、第１のシンボルブロック及び第２のシンボルブロック（Ｘ及びＹ）内の
【数３８６】
2021506162.tif 000388
であるシンボル
【数３８７】
2021506162.tif 000389
、
【数３８８】
2021506162.tif 000390
、
【数３８９】
2021506162.tif 000391
及び
【数３９０】
2021506162.tif 000392
のプリコーダ後の値を設定するのではなく、参照信号のサンプルは、例えば、前述したように、
【数３９１】
2021506162.tif 000393
であるシンボル
【数３９２】
2021506162.tif 000394
、
【数３９３】
2021506162.tif 000395
、
【数３９４】
2021506162.tif 000396
及び
【数３９５】
2021506162.tif 000397
の（プリコーダ後の）値を、受信機によって既知である非零の値に設定することによって、ＩＤＦＴの出力において取得されているであろう値と同一又は少なくとも同等のサンプルを取得するように事前に計算される。例えば、
【数３９６】
2021506162.tif 000398
は、
【数３９７】
2021506162.tif 000399
であるシンボル
【数３９８】
2021506162.tif 000400
及び
【数３９９】
2021506162.tif 000401
の値が、それぞれ第１の参照信号及び第２の参照信号を表す値に設定されるＳＣ−ＦＤＭＡ方式を第１のシンボルブロックに適用し、他のシンボルの値を０に設定することによって（すなわち、他のシンボルを導入しないことによって）取得することができる。
【数４００】
2021506162.tif 000402
は、
【数４０１】
2021506162.tif 000403
であるシンボル
【数４０２】
2021506162.tif 000404
及び
【数４０３】
2021506162.tif 000405
の値が、それぞれ第４の参照信号及び第３の参照信号を表す値に設定されるＳＣ−ＦＤＭＡ方式を第２のシンボルブロックに適用し、他のシンボルの値を０に設定することによって（すなわち、他のシンボルを導入しないことによって）取得することができる。
【０１５７】
参照信号がＩＤＦＴ後に挿入される図４．３の実施形態では、加算器の出力において取得される信号
【数４０４】
2021506162.tif 000406
及び
【数４０５】
2021506162.tif 000407
は、プリコーダ後に参照信号が挿入されるときのＩＤＦＴモジュールの出力における信号と同等である。したがって、プリコーダ後挿入又はＤＦＴ前挿入に関して示された全ての特徴は、ＩＤＦＴ後挿入に適用することができる。
【０１５８】
信号
【数４０６】
2021506162.tif 000408
及び信号
【数４０７】
2021506162.tif 000409
を加える前に、信号
【数４０８】
2021506162.tif 000410
及び
【数４０９】
2021506162.tif 000411
をフィルタリングして、その値が０に設定されている対応するシンボル
【数４１０】
2021506162.tif 000412
、
【数４１１】
2021506162.tif 000413
、
【数４１２】
2021506162.tif 000414
及び
【数４１３】
2021506162.tif 000415
の信号
【数４１４】
2021506162.tif 000416
及び信号
【数４１５】
2021506162.tif 000417
内のサンプルも、参照信号のサンプルが挿入される期間又は少なくとも高エネルギーのサンプルの部分が挿入される期間の間、厳密に０に等しいことを確保することが有利であるい。したがって、これによって、信号
【数４１６】
2021506162.tif 000418
及び
【数４１７】
2021506162.tif 000419
の少なくとも高エネルギー部分に対する信号
【数４１８】
2021506162.tif 000420
及び
【数４１９】
2021506162.tif 000421
の干渉を低減することが可能になる。
【０１５９】
図５を参照すると、本発明による、参照信号抽出のシンボルブロック図が示される。先行する実施形態に従って放射された無線信号が、マルチパスチャネルを通過し、雑音及び位相雑音の影響を受けた後に、受信機１．２によって受信される。受信機は、ＭＩＳＯ電気通信システムの場合に相当する１つのアンテナ上で、又は図５に示されるように、幾つかのアンテナＲｘ１、Ｒｘ２上で無線信号を受信することができる。
【０１６０】
各アンテナによって受信された無線信号にアナログ／デジタル変換器（ＡＤＣ）が適用された後に、参照信号が抽出される。一変形形態では、ＣＰ除去後に参照信号を抽出することができる。ここで、参照信号抽出とは、伝送過程においてチャネル及び雑音／位相雑音によって破損した、送出された参照信号に関する情報の一部又は全てを含む、受信無線信号の時間領域部分を分離することであると理解されたい。
【０１６１】
前述したように、これは可能である。なぜならば、時間領域では、参照信号の無線信号内のサンプルは重畳され、非参照信号のシンボルに対応する高エネルギーサンプルの部分は、参照信号の高エネルギー重畳サンプルの部分と同時に放出されないからである。
【０１６２】
したがって、位置ｎｉに依存した期間（ＳＳ−ＳＴＢＣプリコーダ方式に起因した位置Ｍ／２＋Ｐ１＋ｍｏｄ（−ｎｉ＋Ｐ１＋ｐ−１，Ｑ）に依存する期間と同じ）の間にＡＤＣ５．２．１及び５．２．２によって出力された信号の部分を抽出することによって、シンボル
【数４２０】
2021506162.tif 000422
、
【数４２１】
2021506162.tif 000423
、
【数４２２】
2021506162.tif 000424
及び
【数４２３】
2021506162.tif 000425
に対応する受信サンプルが抽出される。使用できないサンプルを抽出するのを回避するために、高エネルギーを有するサンプルの部分に対応する期間のみを考慮に入れることが有利である。この期間は、実施されるサブキャリアマッピングのタイプに依存する。例えば、局所化又は分散化の実施態様は、全く異なる期間を与える。
【０１６３】
各タイプのサブキャリアマッピングは、無線信号内のサンプルの時間領域にわたって、自らの分布を有する。これらの分布は、当業者によってよく知られており、文献（例えば、Hyung G. Myung 「Single Carrier Orthogonal Multiple Access Technique for Broadband Wireless Communications」Ph.D. Thesis Defense | 2006.12.18を参照）において示されており、本発明の教示を他のサブキャリアマッピングに容易に入れ替えることができるので、本発明は特定のサブキャリアマッピングには限定されない。
【０１６４】
抽出器５．８は、（ＤＦＴ前、プリデコーダ後又はＤＦＴ後に）挿入された参照信号の受信サンプルの期間に従って参照信号を抽出する時間領域窓を適用するように構成することができる。第１の構成は、各窓が参照信号のサンプルの受信に対応する期間（すなわち、参照信号の受信サンプル期間）の中の１つの期間に等しい時間領域窓を適用することである。窓のサイズは、第１の構成の窓のサイズをわずかに超えることもでき、各窓は第１の構成の窓を含むように位置決めされる。これは、参照信号に対応する受信サンプルのわずかに広い部分を抽出できるようにし、それは受信機１．２に干渉軽減能力があるときに有利である。窓のサイズは第１の構成の窓のサイズよりわずかに小さくすることができ、各窓は、第１の構成の窓内に含まれるように位置決めすることができ、それにより、参照信号のサンプルとの干渉を引き起こす場合がある非参照信号の受信サンプルの抽出を制限できるようにし、それは、受信機１．２が干渉軽減に関する性能が低いときに有利である。
【０１６５】
参照信号の受信サンプルが抽出器５．８によって抽出されると、それらのサンプルは時間領域又は周波数領域において処理することができる。参照信号のサンプルの処理は、当業者によってよく知られている一般的な処理である。例えば、参照信号は、時間領域又は周波数領域において適用される既知のチャネル推定方法を通してチャネルを推定するための根拠としての役割を果たすことができる。例えば、参照信号は、他の専用参照信号（例えば、ＤＭＲＳ等の参照シンボルのみを搬送する専用ＳＣ−ＦＤＭＡシンボル）に基づいて取得されるチャネル推定値の品質を改善する役割を果たすことができる。参照信号の受信サンプルが処理されると、チャネル推定モジュール５．９が、チャネル推定プロセスの一部として、これらの参照信号を参照値と比較することができる。
【０１６６】
チャネル推定は、シンボルのフルブロックを占有する専用ＤＭＲＳ（復調参照信号）を用いる従来の実施態様から生じることもでき、この場合、本発明による参照信号は、チャネル推定品質を改善するために使用することができる。
【０１６７】
チャネル推定モジュール５．９が、推定されたチャネルを計算すると、送信機と受信機との間のチャネルにおける信号の破損（位相シフト、振幅等）を補償するようにＳＳ−ＳＴＢＣ復号化器５．７を設定することができる。シンボルブロックＺ＝（Ｚ０，．．．ＺＭ−１）を取得するように処理の性能を高めることが可能である。
【０１６８】
また、抽出器５．８は、ガード除去モジュール後に配置することもできる。
【０１６９】
図６．１を参照すると、本発明による、無線信号内に参照信号をＤＦＴ前挿入するステップを表すフローチャートが示される。
【０１７０】
ステップＳ１１において、ＲＳ挿入モジュール４．９が静的な方法で構成されるか、若しくは動的に構成される（すなわち、ＲＳ挿入モジュール４．９は、例えば、制御チャネルを通しての受信機からのフィードバックに応じて再構成される）か、又はこれらの２つの組み合わせによって構成される。動的構成の場合、ＲＳ挿入モジュール４．９は、ＭＥＭＯ＿ｔｒａｎｓ１．５に保存される構成に基づいて、別の構成を選択することができる。実際には、ＲＳ挿入モジュール４．９内に幾つかの構成が事前にパラメータ化されている場合もあり、それらの構成は、その構成が与える参照信号の数に応じて順序付けることができる。参照信号のクワドラプレットの数Ｋ又はＬによって、挿入されることになる異なる参照信号が対応するシンボル
【数４２４】
2021506162.tif 000426
のシンボルブロックＸ内の位置ｎｉによって、構成を定義することができる。
【０１７１】
ＲＳ挿入モジュール４．９は、選択された構成をデータ変調器モジュール４．１０に通知することができる。データ変調器モジュール４．１０が、シンボルブロックにおいて、参照信号の
【数４２５】
2021506162.tif 000427
である位置ｎｉ又はｎｉ＋Ｍ／２と競合しない位置に、変調シンボルを挿入することが可能である。
【０１７２】
ステップＳ１２において、ＲＳ挿入モジュール４．９が、
【数４２６】
2021506162.tif 000428
である位置ｎｉ又はｎｉ＋Ｍ／２にあるシンボルＸｎの各値を参照信号の値に設定することによって、上記で説明されたように、参照信号を挿入する。
【０１７３】
ステップＳ１３において、信号が処理される。すなわち、シンボルブロックＸ＝（Ｘ０，．．．ＸＭ−１）に対して、変更されたＳＳ−ＳＴＢＣ方式（ＳＳ−ＳＴＢＣプリコーダ４．２、ＤＦＴモジュール４．３及び４．４、サブキャリアマッピングモジュール４．５及び４．６、ＩＤＦＴモジュール４．７及び４．８）が適用される。
【０１７４】
ステップＳ１４において、Ｔｘ１  ４．０及びＴｘ２  ４．１によって信号が放出される。
【０１７５】
図６．２を参照すると、本発明による、無線信号内に参照信号をプリコーダ後挿入するステップを表すフローチャートが示される。
【０１７６】
ステップＳ２１において、ＲＳ挿入モジュール４．１１を静的な方法で構成することもできるし、図６．１のように動的に構成することもできる（又はこれらの２つの組み合わせによって構成することもできる）。幾つかの構成は、ＲＳ挿入モジュール４．１１において事前にパラメータ化することもでき、それらの構成は、その構成が提供する参照信号の数に従って順序付けることができる。構成は、異なる参照信号が挿入されるシンボルブロックＸ及びＹ内の位置ｎｉによる参照信号のクワドラプレットの数Ｋによって定義することができる。構成されると、ＲＳ挿入モジュール４．１１は、選ばれた構成をデータ変調器モジュール４．１２に通知することができる。
【０１７７】
ステップＳ２２において、ＲＳ挿入モジュール４．１１の構成に基づいて、データ変調器モジュール４．１２は、図４．２において前述したように、
【数４２７】
2021506162.tif 000429
であるシンボル
【数４２８】
2021506162.tif 000430
及び
【数４２９】
2021506162.tif 000431
の値を０に設定する。
【０１７８】
ステップＳ２３において、図４．２において前述したように、ＳＳ−ＳＴＢＣプリコーダ４．２が不完全なシンボルブロックＸＤＡＴＡに対して適用される。
【０１７９】
ステップＳ２４において、ＲＳ挿入モジュール４．１１は、プリコーダ４．２の出力において取得される不完全なシンボルブロックシンボルＸＤＡＴＡ及びシンボルブロックＹＤＡＴＡのシンボル
【数４３０】
2021506162.tif 000432
、
【数４３１】
2021506162.tif 000433
、
【数４３２】
2021506162.tif 000434
及び
【数４３３】
2021506162.tif 000435
の値を、それぞれ第１の参照信号、第２の参照信号、第４の参照信号及び第３の参照信号を表す値に設定することによって参照信号を挿入する。
【０１８０】
ステップＳ２５において、信号は処理される。すなわち、参照信号が挿入されたシンボルブロックＸ及びＹのそれぞれに対して、ＳＣ−ＦＤＭＡ方式が適用される（ＤＦＴモジュール４．３及び４．４、サブキャリアマッピングモジュール４．５及び４．６、ＩＤＦＴモジュール４．７及び４．８が適用される）。
【０１８１】
ステップＳ２６において、Ｔｘ１  ４．０及びＴｘ２  ４．１によって信号が放出される。
【０１８２】
図６．３を参照すると、本発明による、無線信号内に参照信号をＩＤＦＴ後挿入するステップを表すフローチャートが示される。
【０１８３】
ステップＳ３１において、ＲＳ挿入モジュール４．１１も静的な方法で構成することもできるし、図５．１のように動的に構成することもできる（又はこれらの２つの組み合わせによって構成することもできる）。幾つかの構成は、ＲＳ挿入モジュール４．１３において事前にパラメータ化することもでき、それらの構成は、その構成が提供する参照信号の数に従って順序付けることができる。構成は、異なる参照信号が挿入されるシンボルブロックＸ内の位置ｎｉによる参照信号のクワドラプレットの数Ｋによって定義することができる。構成されると、ＲＳ挿入モジュール４．１３は、選ばれた構成をデータ変調器モジュール４．１４に通知することができる。
【０１８４】
ステップＳ３２において、ＲＳ挿入モジュール４．１３の構成に基づいて、データ変調器モジュール４．１４が、図４．３において上記で説明されたように、
【数４３４】
2021506162.tif 000436
であるシンボル
【数４３５】
2021506162.tif 000437
及び
【数４３６】
2021506162.tif 000438
の値を設定する。
【０１８５】
ステップＳ３３において、信号は処理される。すなわち、
【数４３７】
2021506162.tif 000439
であるシンボル
【数４３８】
2021506162.tif 000440
及び
【数４３９】
2021506162.tif 000441
の値が０に設定されたシンボルブロックＸ＝（Ｘ０，．．．ＸＭ−１）に対して、ＳＳ−ＳＴＢＣタイプ方式（ＳＳ−ＳＴＢＣプリコーダ４．２、ＤＦＴモジュール４．３及び４．４、サブキャリアマッピングモジュール４．５及び４．６、ＩＤＦＴモジュール４．７及び４．８）が適用される。
【０１８６】
ステップＳ３４において、ＲＳ挿入モジュール４．１３は、アンテナＴｘ１  ４．０に対応する
【数４４０】
2021506162.tif 000442
及びアンテナＴｘ２  ４．１に対応する
【数４４１】
2021506162.tif 000443
であるＩＤＦＴモジュール（４．７及び４．８）の出力信号のそれぞれに、信号
【数４４２】
2021506162.tif 000444
及び信号
【数４４３】
2021506162.tif 000445
をそれぞれ加える。信号
【数４４４】
2021506162.tif 000446
及び
【数４４５】
2021506162.tif 000447
は、図４．３において前述したように計算することができる。
【０１８７】
ステップＳ３５において、Ｔｘ１  ４．０及びＴｘ２  ４．１によって信号が放出される。
【０１８８】
図７を参照すると、本発明による、無線信号内の参照信号を抽出するステップを表すフローチャートが示される。
【０１８９】
ステップＳ７１において、抽出器５．８が、ＲＳ挿入モジュール（４．９、４．１１又は４．１３）の構成に従って構成される。ＲＳ挿入モジュール（４．９、４．１１又は４．１３）において事前にパラメータ化された同じ構成が、抽出器５．８において事前にパラメータ化される場合がある。送信機１．１は任意選択で、制御チャネルを通して受信機１．２に制御情報を送出することができ、この制御情報は、送信機によって送出される参照信号を抽出するために設定すべき構成を指示する。
【０１９０】
ステップＳ７２において、抽出器５．８が、参照信号の受信サンプルに対応する期間中に、ＡＤＣ５．２．１及び５．２．２によって出力された信号の部分を抽出する。抽出は、図５において説明されたように行われる。
【０１９１】
ステップＳ７３において、参照信号のサンプルが上記で説明されたように処理される。
【０１９２】
ステップＳ７４において、チャネル推定モジュール５．９が、これらの参照信号を、参照値、すなわち、参照信号の放出されたサンプルの対応する値と比較し、チャネル推定品質を取得する。また、チャネル推定モジュール５．９は、事前に取得されたチャネル推定品質を指定することもできる。
【０１９３】
ステップＳ７５において、受信された信号が、その後、チャネル推定品質を用いて処理され、処理の性能が改善される。例えば、ＳＳ−ＳＴＢＣ復号化器５．７は、送信機と受信機との間のチャネル内の信号の破損（位相シフト、振幅．．．）を補償するように設定することができる。
【図１】
2021506162.tif 000552
【図２．１】
2021506162.tif 000553
【図２．２】
2021506162.tif 000554
【図３】
2021506162.tif 000555
【図４．１】
2021506162.tif 000556
【図４．２】
2021506162.tif 000557
【図４．３】
2021506162.tif 000558
【図５】
2021506162.tif 000559
【図６．１】
2021506162.tif 000560
【図６．２】
2021506162.tif 000561
【図６．３】
2021506162.tif 000562
【図７】
2021506162.tif 000563
【国際調査報告】
2021506162.tif 000564
2021506162.tif 000565